(57)【要約】【課題】  患者に移植された医療デバイス（１００）にエネルギーを供給する方法および装置において、無線エネルギーが、患者の外部に配置された外部エネルギー源（１０４）から送られ、かつ患者の内部に配置され、受け取ったエネルギーを医療デバイスに直接または間接的に供給する内部エネルギー受信器（１０２）によって受け取られる。【解決手段】  内部エネルギー受信器によって受け取られたエネルギーと医療デバイスに使用されるエネルギーとのエネルギー・バランスが求められ、次に、求められたエネルギー・バランスに基づいて無線エネルギーの伝送が制御される。したがって、エネルギー・バランスは、過度の温度上昇を生じさせずに医療デバイスを適切に動作させるのに十分な正しいエネルギー必要量を正確に示す。【選択図】図１
2018111026.tif 000002
【特許請求の範囲】
【請求項１】
患者の体内に移植された電気的に動作可能な医療デバイスに供給される無線エネルギーの伝送を制御する装置であって、前記患者の体外に配置した外部エネルギー源から伝送される前記無線エネルギーは、前記患者の体内に配置された内部エネルギー受信器によって内部エネルギーとして受信され、前記内部エネルギー受信器が受信したエネルギーを直接的または間接的に前記医療デバイスに供給するために前記医療デバイスに接続され、前記装置は、
−  前記内部エネルギー受信器によって受け取られた前記エネルギーと前記医療デバイスに使用される前記エネルギーとのエネルギー・バランスを決定し、
−  前記無線エネルギーの伝送中に内部制御ユニット又は外部制御ユニットによって前記エネルギー・バランスを決定し、
−  前記外部エネルギー源によって送られる無線エネルギーの供給を制御できるように患者の体内から情報をフィードバックし、
−  決定された前記エネルギー・バランスに基づいて、前記外部エネルギー源からの無線エネルギーの伝送を制御するように、構成される制御ユニットを備え、
前記無線エネルギーの伝送は、次のａ）およびｂ）の少なくとも１つに従って制御されることを特徴とする装置。                           
ａ）前記医療デバイスにおけるエネルギー消費率、エネルギー蓄積率又はエネルギー消費率とエネルギー蓄積率の両方と前記内部エネルギー受信器のエネルギー受信率との差。
ｂ）前記内部エネルギー受信器で受信した全エネルギー量と、前記医療デバイスにおいて消費および／または蓄積された全エネルギー量との差。
【請求項２】
前記無線エネルギーを前記外部エネルギー源内の一次コイルから前記内部エネルギー受信器内の二次コイルに誘導的に伝送するようにさらに構成されることを特徴とする請求項１に記載の装置。
【請求項３】
前記エネルギー・バランスの変化を検出し、前記検出されたエネルギー・バランスの変化に基づいて無線エネルギーの伝送を制御するようにさらに構成され、前記検出されたエネルギー・バランスの変化がエネルギー・バランスが増大していることを示す場合、伝送される無線エネルギーの量を低減させ、前記検出されたエネルギー・バランスの変化がエネルギー・バランスが低減していることを示す場合、伝送される無線エネルギーの量を増大させるようにさらに構成され、前記無線エネルギーの伝送は、前記エネルギー・バランスにおける検出された変化の率に基づいて制御されることを特徴とする請求項１または２のいずれかに記載の装置。
【請求項４】
前記内部エネルギー受信器によって受け取られたエネルギーと前記医療デバイスに使用されるエネルギーとの差を検出し、前記検出されたエネルギーの差に基づいて無線エネルギーの伝送を制御するようにさらに構成され、前記検出されたエネルギーの差が前記受け取られたエネルギーが前記使用されたエネルギーよりも多いことを示す場合、伝送される無線エネルギーの量を低減させ、反対に前記検出されたエネルギーの差が、前記受け取られたエネルギーが前記使用されたエネルギーよりも少ないことを示す場合、伝送される無線エネルギーの量を増大させるようにさらに構成され、前記無線エネルギーの伝送は、前記エネルギー・バランスにおける検出されたエネルギーの差の大きさに基づいて制御されることを特徴とする請求項１または２のいずれかに記載の装置。
【請求項５】
−  すべてのエネルギーが前記医療デバイスを動作させるために使用されること、
−  すべてのエネルギーが少なくとも１つのエネルギー蓄積デバイスに蓄積されること、を実行することを特徴とする請求項３乃至４のいずれかに記載の装置。
【請求項６】
前記医療デバイスの少なくとも１つのエネルギー安定化ユニットで安定化した後で、前記エネルギーを消費または蓄積するようにさらに構成されることを特徴とする請求項５に記載の装置。
【請求項７】
前記内部エネルギー受信器による総エネルギー受信量と総エネルギー消費量および／または総エネルギー蓄積量との差を間接的または直接的に経時的に測定し、前記差の検出された変化に基づいて前記エネルギー・バランスを求めるようにさらに構成されることを特徴とする請求項５に記載の装置。
【請求項８】
前記エネルギー安定化ユニットは、前記受け取られたエネルギーを安定化するように構成されたエネルギー蓄積デバイスを含むことを特徴とする請求項６に記載の装置。
【請求項９】
エネルギー消費量および／またはエネルギー蓄積量の検出された経時的な変化に基づいて前記エネルギー・バランスを求めるようにさらに構成されることを特徴とする請求項５に記載の装置。
【請求項１０】
前記エネルギー消費量および／またはエネルギー蓄積量に関する測定された電気的パラメータの導関数を経時的に求めることによって前記エネルギー消費量および／またはエネルギー蓄積量の前記変化を検出するようにさらに構成されることを特徴とする請求項９に記載の装置。
【請求項１１】
前記電気的パラメータの検出された変化率に基づいて前記導関数を求めるようにさらに構成されることを特徴とする請求項１０に記載の装置。
【請求項１２】
定電圧回路によって生成された少なくとも１つの一定の電圧と、定電流回路によって生成された少なくとも１つの一定の電流のうち少なくとも一方によって、前記内部エネルギー受信器によって受け取られた前記エネルギーを前記医療デバイスに供給するようにさらに構成されることを特徴とする請求項１乃至１１のいずれかに記載の装置。
【請求項１３】
前記少なくとも１つの一定の電圧を含む少なくとも２つの異なる電圧と、前記少なくとも１つの一定の電流を含む少なくとも２つの異なる電流のうち少なくとも一方によって前記エネルギーを供給するようにさらに構成されることを特徴とする請求項１２に記載の装置。
【請求項１４】
前記差は、前記エネルギー・バランスに関する少なくとも１つの測定された電気的パラメータの経時的な積分に関する差であり、前記電気的パラメータの前記積分は、前記内部エネルギー受信器による前記総エネルギー受信量と前記総エネルギー消費量および／または総エネルギー蓄積量との蓄積された差としてのエネルギー・バランスに関する積分であることを特徴とする請求項７に記載の装置。
【請求項１５】
前記電気的パラメータの経時的な積分を決定するようにさらに構成されることを特徴とする請求項１４に記載の装置。
【請求項１６】
再充電可能な電池、およびコンデンサのうち少なくとも１つを備えるエネルギー蓄積デバイスを備えることを特徴とする請求項１乃至１５のいずれかに記載の装置。
【請求項１７】
前記外部エネルギー源に、立ち上がりおよび立ち下がりを有する電気パルスを供給する第１の電気回路をさらに備え、
前記電気回路は、前記電気パルスの連続的な立ち上がりと立ち下がりとの間の第１の時間間隔の長さ、および／または前記電気パルスの連続的な立ち下がりと立ち上がりとの間の第２の時間間隔の長さを変化させるように構成され、
前記電気パルスから生成された前記伝送される無線エネルギーは、前記第１の時間間隔および／または第２の時間間隔の長さに応じて変化する電力を有する、ことを特徴とする請求項１乃至１６のいずれかに記載の装置。
【請求項１８】
前記電気パルスの周波数は、前記第１の時間間隔および／または第２の時間間隔が変化するときにほぼ一定であり、前記電気パルスの振幅は、電気パルスを印加する際、前記第１の時間間隔および／または第２の時間間隔が変化するときにほぼ一定であることを特徴とする請求項１７に記載の装置。
【請求項１９】
パルス列が印加される際に、前記パルス列の開始位置に第１の電気パルスを有し、前記パルス列の終了位置に第２の電気パルスを有する２つ以上の電気パルスの列を一列として供給し、
第１のパルス列内の前記第２の電気パルスの立ち下がりと、それに連続する、第２のパルス列の前記第１の電気パルスの立ち上がりとの間の前記第２の時間間隔の長さが変化する２つ以上のパルス列を一列として供給するようにさらに構成されることを特徴とする請求項１７に記載の装置。
【請求項２０】
電気パルスを印加する際、前記パルス列内の前記電気パルスと前記パルス列自体のうち少なくとも一方が、ほぼ一定の周波数とほぼ一定の電流と、一定の電圧のうち少なくとも一方を有することを特徴とする請求項１９に記載の装置。
【請求項２１】
無線エネルギーだけを前記外部エネルギー源から前記受信器に誘導的に伝送するようにさらに構成されることを特徴とする請求項１７に記載の装置。
【請求項２２】
前記第１の時間間隔および／または第２の時間間隔の長さを変化させると、結果的に伝送されるエネルギーが変化するような、前記連続したパルスの立ち上がり同士の間の周波数および／または時間周期で、前記電気パルスを前記第１の電気回路から放出するようにさらに構成されることを特徴とする請求項１７に記載の装置。
【請求項２３】
前記第１の電気回路および前記外部エネルギー源で形成された前記回路は、第１の固有時間周期または第１の時定数を有し、前記伝送されるエネルギーを効果的に変化させる際、前記周波数および／または時間周期は前記第１の固有時間周期または時定数の範囲以下であることを特徴とする請求項２２に記載の装置。
【請求項２４】
前記無線エネルギーは予定した率でまず伝送され、次にエネルギー・バランスに基いて伝送されるものであり、上記エネルギー・バランスはエネルギー安定化ユニット内の蓄積したエネルギーの量の変化を検出して決定されることを特徴とする請求項６記載の装置。
【発明の詳細な説明】
【技術分野】
【０００１】
本発明は概して、患者に移植された医療デバイスに無線エネルギーを供給する方法および装置に関する。特に、本発明は、患者の外部のエネルギー源から患者の内部のエネルギー受信器に伝送されるエネルギーの量の制御に関する。
【背景技術】
【０００２】
患者の体内に移植されるように構成された医療デバイスは通常、電力によって操作される。このような医療デバイスは、様々な身体機能を支援または刺激するように構成された電気的刺激部材および機械刺激部材、モータ、ポンプなどを含む。このような移植された医療デバイスには、同様に移植された電池、あるいは必要な量の電力を外科手術を繰り返し行う必要無しに間欠的または連続的に供給することのできる外部エネルギー源から電力を供給することができる。
【０００３】
外部エネルギー源は、患者の内部に配置され、医療デバイスに接続され、受け取ったエネルギーを医療デバイスに供給する移植された内部エネルギー受信器に、無線エネルギーを伝送することができる。このように無線エネルギーを伝送することのできるいわゆるＴＥＴ（経皮エネルギー伝送Transcutaneous Energy Transfer）デバイスが公知である。それによって、医療デバイスを電池などの外部エネルギー源に接続する場合に、皮膚を貫通するリード線を使用する必要が無くなる。
【０００４】
ＴＥＴデバイスは通常、好ましくは患者の皮膚のすぐ下に移植された内部エネルギー受信器内の二次コイルに電圧を誘導することによって任意の量の無線エネルギーを誘導的に伝送するように構成された一次コイルを含む外部エネルギー源を備える。一次コイルが皮膚の近くに、二次コイルに隣接してかつ二次コイルに対して整列して位置するとき、すなわち、一次コイルの対称軸が二次コイルの対称軸に平行であるときに、最高の伝送効率が得られる。
【０００５】
通常、移植された医療デバイスを動作させるのに必要なエネルギーの量は、デバイスの動作特性に応じて経時的に変化する。たとえば、デバイスは、ある間隔を置いてオンとオフが切り替わるか、あるいはその動作を変更して適切な電気的または機械刺激などを与えるように構成することができる。このように動作が変化すると、当然のことながら、それに応じて必要なエネルギーの量も変化する。
【０００６】
さらに、移植された内部エネルギー源に対する外部エネルギー源の位置は、エネルギー源と受信器との間の距離および相対角度に著しく依存するエネルギー伝送の効率に影響を与える要因である。たとえば一次コイルおよび二次コイルを使用する際、コイル間隔が変化すると、それに応じて、誘導される電圧も変化する。医療デバイスの動作時には、患者が移動すると通常、任意に外部エネルギー源と内部受信器の相対間隔が変化し、したがって、伝送効率が大幅に変化する。
【０００７】
伝送効率が低くなると、医療デバイスに供給されるエネルギーの量が、デバイスを適切に動作させるのに不十分なものになる可能性があり、したがって、デバイスの動作を一時的に停止しなければならず、当然のことながらデバイスの目的とされる医療効果が損なわれる。
【０００８】
一方、外部エネルギー源と内部受信器の相対位置が、意図せずに伝送効率を高めるように変化した場合、医療デバイスに供給されるエネルギーも大幅に増大する可能性がある。
この状況では、インプラントが大量の供給エネルギーを急激に「消費する」ことはできないために重大な問題が生じる恐れがある。使用されない過度のエネルギーは何らかの方法で吸収しなければならず、その結果熱が発生し、これは極めて望ましくない。したがって、外部エネルギー源から内部エネルギー受信器に過度のエネルギーが伝送された場合、インプラントの温度が上昇し、周囲の組織に損傷を与えるか、場合によっては身体機能に悪影響をもたらす恐れがある。一般に、このような問題を回避するために体温が３度を超えてはならないと考えられている。
【０００９】
したがって、適切な動作を確保し、かつ／あるいは温度の上昇を回避するには、移植された医療デバイスに適切な量のエネルギーを供給することが極めて望ましい。受容側インプラントの様々な状態に応じて伝送されるエネルギーの量を調節する様々な方法が公知である。しかし、移植された医療デバイスへの無線によるエネルギーの伝送を制御する現在利用可能な解決策は、この点に関する精度が不十分である。
【００１０】
たとえば、米国特許第５９９５８７４号は、一次コイルから伝送されるエネルギーの量が、負荷電流や負荷電圧のような二次コイルの測定された特徴に応じて調節されるＴＥＴシステムを開示している。伝送されるエネルギーは、一次コイルの電流および電圧、伝送周波数、またはコイル寸法を変化させることによって調節することができる。特に、電力伝送効率を調整するためにコイル同士の間の磁界の飽和点が変化させられる。しかし、使用可能な磁界レベルを仮定した場合、ヒトの組織には飽和点が生じないため、この解決策が実際にうまく働く可能性は低い。さらに、たとえばコイル同士の整列および／または間隔の変化による損失を補償するためにエネルギー伝送量をかなり増大しなければならない場合、公知のように、生成されるかなり大量の放射線が患者に損傷を与えるか、あるいは患者の健康を損ねるかまたは患者にとって不快である恐れがある。
【先行技術文献】
【特許文献】
【００１１】
【特許文献１】米国特許第５９９５８７４号
【発明の概要】
【発明が解決しようとする課題】
【００１２】
したがって、移植された医療デバイスに伝送されるエネルギーの量を正確に調節して医療デバイスを適切に動作させる有効な解決策が必要である。さらに、組織の損傷および患者の不健康または不快感を回避するには、医療デバイスの温度を上昇させる過度のエネルギー伝送および／または電力サージを回避する必要がある。
【課題を解決するための手段】
【００１３】
したがって、患者に移植された電気操作可能な医療デバイスに供給される無線エネルギーの伝送を制御する方法が提供される。無線エネルギーは、患者の外部に配置された外部エネルギー源から送られ、かつ患者の内部に配置され、医療デバイスに接続され、受け取ったエネルギーを直接または間接的に医療デバイスに供給する内部エネルギー受信器によって受け取られる。内部エネルギー受信器によって受け取られたエネルギーと医療デバイスに使用されるエネルギーとのエネルギー・バランスが求められる。次に、外部エネルギー源からのエネルギーの伝送が、求められたエネルギー・バランスに基づいて制御される。
【００１４】
患者に移植された電気操作可能な医療デバイスに供給される無線エネルギーの伝送を制御する装置も提供される。装置は、患者の内部に配置され、医療デバイスに接続され、受け取ったエネルギーを直接または間接的に医療デバイスに供給する内部エネルギー受信器によって受け取られる無線エネルギーを、患者の外部に配置された外部エネルギー源から伝送するように構成される。装置はさらに、内部エネルギー受信器によって受け取られたエネルギーと医療デバイスに使用されるエネルギーとのエネルギー・バランスを判定し、外部エネルギー源からの無線エネルギーの伝送を、求められたエネルギー・バランスに基づいて制御するように構成される。
【００１５】
この方法および装置は、以下の様々な実施形態および特徴に従って実施することができる。
【００１６】
無線エネルギーは、外部エネルギー源内の一次コイルから内部エネルギー受信器内の二次コイルに誘導的に伝送することができる。エネルギー・バランスの変化を検出して、検出されたエネルギー・バランスの変化に基づいて無線エネルギーの伝送を制御することができる。内部エネルギー受信器によって受け取られたエネルギーと医療デバイスに使用されるエネルギーとの差を検出し、検出されたエネルギー差に基づいて無線エネルギーの伝送を制御することもできる。
【００１７】
エネルギー伝送を制御する際、検出されたエネルギー・バランスの変化が、エネルギー・バランスが増大していることを示す場合には、無線エネルギー伝送量を低減させ、エネルギー・バランスが低減していることを示す場合には、無線エネルギー伝送量を増大させることができる。エネルギー伝送量の増減を検出された変化率に対応させることもできる。
【００１８】
さらに、検出されたエネルギー差が、受け取られたエネルギーが使用されるエネルギーより多いことを示す場合に、伝送される無線エネルギーの量を低減させることができ、検出されたエネルギー差が、受け取られたエネルギーが使用されるエネルギーより少ないことを示す場合に、伝送される無線エネルギーの量を増大させることができる。その場合、エネルギー伝送量の増減を検出されたエネルギー差の大きさに対応させることができる。
【００１９】
上述のように、医療デバイスに使用されるエネルギーは、医療デバイスを動作させるために消費し、かつ／あるいは医療デバイスの少なくとも１つのエネルギー蓄積デバイスに蓄積することができる。
【００２０】
一代替実施形態では、医療デバイスに使用されるほぼすべてのエネルギーが、医療デバイスを動作させるために（たとえば、図２の消費部分２００ａによって）消費される。この場合、エネルギーは、医療デバイスの少なくとも１つの安定化ユニットで安定化された後で消費することができる。
【００２１】
他の実施形態では、医療デバイスに使用されるほぼすべてのエネルギーが少なくとも１つのエネルギー蓄積デバイスに蓄積される。他の実施形態では、医療デバイスに使用されるエネルギーは、一部が医療デバイスを動作させるために消費され、一部が少なくとも１つのエネルギー蓄積デバイスに蓄積される。
【００２２】
内部エネルギー受信器によって受け取られたエネルギーは、医療デバイスに直接または間接的に供給される前にコンデンサによって安定化することができる。
【００２３】
内部エネルギー受信器による総エネルギー受信量と総エネルギー消費量および／または総エネルギー蓄積量との差は、直接または間接的に経時的に測定することができ、次に、総量差の検出された変化に基づいてエネルギー・バランスを求めることができる。
【００２４】
内部エネルギー受信器によって受け取られたエネルギーは、医療デバイスに供給される前にエネルギー安定化ユニットで蓄積し安定化することができる。その場合、エネルギー消費量および／またはエネルギー蓄積量の検出される経時的な変化に基づいて、エネルギー・バランスを求めることができる。さらに、エネルギー消費量および／またはエネルギー蓄積量に関する測定された電気的パラメータの導関数を経時的に求めることによって、エネルギー消費量および／またはエネルギー蓄積量の変化を検出することができ、その場合、第１の所与の瞬間における導関数は、第１の所与の瞬間における変化率に対応し、変化率は変化の方向および速度を含む。さらに、導関数は、電気的パラメータの検出された変化率に基づいて求めることができる。
【００２５】
内部エネルギー受信器によって受け取られたエネルギーは、少なくとも１つの一定の電圧によって医療デバイスに供給することができ、その場合、一定の電圧は定電圧回路によって生成される。この場合、エネルギーは、少なくとも１つの一定の電圧を含む、少なくとも２つの異なる電圧によって供給することができる。
【００２６】
内部エネルギー受信器によって受け取られたエネルギーは、少なくとも１つの一定の電流によって医療デバイスに供給することもでき、その場合、一定の電流は定電流回路によって生成される。この場合、エネルギーは、少なくとも１つの一定の電流を含む、少なくとも２つの異なる電流によって供給することができる。
【００２７】
エネルギー・バランスは、内部エネルギー受信器による総エネルギー受信量と総エネルギー消費量および／または総エネルギー蓄積量との検出された差に基づいて求めることもでき、その場合、検出された差は、エネルギー・バランスに関する測定された少なくとも１つの電気的パラメータの経時的な積分に関する差である。この場合、電気的パラメータの値は、パラメータ−時間図のグラフとして時間に対してプロットすることができ、プロットされたグラフの下方の領域のサイズから積分を求めることができる。電気的パラメータの積分は、内部エネルギー受信器による総エネルギー受信量と総エネルギー消費量および／または総エネルギー蓄積量との蓄積された差としてエネルギー・バランスに関係付けることができる。
【００２８】
医療デバイス内のエネルギー蓄積デバイスは、再充電可能な電池、アキュムレータ、コンデンサの少なくとも１つを含んでよい。エネルギー安定化ユニットは、受け取られたエネルギーを安定化するように構成されたアキュムレータ、コンデンサ、または半導体の少なくとも１つを含んでよい。
【００２９】
内部エネルギー受信器によって受け取られたエネルギーを、医療デバイスおよび／またはエネルギー蓄積デバイスに供給する前に安定化ユニットにおいて蓄積し安定化すると、定電圧回路に維持されている少なくとも１つの一定の電圧によって医療デバイスおよび／またはエネルギー蓄積デバイスにエネルギーを供給することができる。その場合、定電圧回路に維持され、少なくとも一方の電圧が一定である２つの異なる電圧を、医療デバイスおよびエネルギー蓄積デバイスに供給することができる。
【００３０】
あるいは、内部エネルギー受信器によって受け取られたエネルギーを、医療デバイスおよび／またはエネルギー蓄積デバイスに供給する前に安定化ユニットにおいて蓄積し安定化すると、定電流回路に維持されている少なくとも１つの一定の電流によって医療デバイスおよび／またはエネルギー蓄積デバイスにエネルギーを供給することができる。その場合、定電流回路に維持され、少なくとも一方の電流が一定である２つの異なる電流を、医療デバイスおよびエネルギー蓄積デバイスに供給することができる。
【００３１】
無線エネルギーは最初、所定のエネルギー消費量と蓄積率とに従って伝送することができる。その場合、無線エネルギーの伝送は、所定の総エネルギー量が伝送されたときにオフにすることができる。この場合、内部エネルギー受信器によって受け取られたエネルギーは、所定の総エネルギー量が消費されかつ／あるいは蓄積されるまで医療デバイスを動作させるのに消費されかつ／あるいはエネルギー蓄積デバイスに蓄積される前に、エネルギー安定化ユニットにおいて蓄積し安定化しておくこともできる。
【００３２】
さらに、無線エネルギーをまず所定のエネルギー率で伝送し、次に、エネルギー安定化ユニットにおける総エネルギー蓄積量を検出することによって求めることのできるエネルギー・バランスに基づいて伝送することができる。あるいは、エネルギー安定化ユニットにおける現在のエネルギー蓄積量の変化を検出することによってエネルギー・バランスを求めることができる。他の代替実施形態では、エネルギー安定化ユニットにおける現在のエネルギー蓄積量の変化の方向および率を検出することによってエネルギー・バランスを求めることができる。
【００３３】
無線エネルギーの伝送は、内部エネルギー受信器におけるエネルギー受信率がエネルギー消費量および／または蓄積率に対応するように制御することができる。その場合、無線エネルギーの伝送は、所定の総エネルギー量が消費されたときにオフにすることができる。
【００３４】
内部エネルギー受信器によって受け取られたエネルギーは、まずエネルギー安定化ユニットにおいて蓄積し安定化して、次に、所定の総エネルギー量が消費されるまで医療デバイスによって消費するかあるいは蓄積しておくことができる。その場合、エネルギー安定化ユニットにおける検出された総エネルギー蓄積量に基づいてエネルギー・バランスを求めることができる。あるいは、エネルギー安定化ユニットにおける現在のエネルギー蓄積量の変化を検出することによってエネルギー・バランスを求めることができる。他の代替実施形態では、エネルギー安定化ユニットにおける現在のエネルギー蓄積量の変化の方向および率を検出することによってエネルギー・バランスを求めることができる。センサを使用して、医療デバイスを適切に動作させるのに必要なエネルギーの必要量を何らかの点で反映する、医療デバイスのある特性の測定および／または患者の現在の状態の検出を行うことができる。したがって、医療デバイスの電気的パラメータおよび／または物理的パラメータならびに／あるいは患者の物理的パラメータを求めることができ、次に、パラメータに基づいて求められる伝送率でエネルギーを伝送することができる。さらに、総エネルギー伝送量がパラメータに基づく量になるように無線エネルギーの伝送を制御することもできる。
【００３５】
内部エネルギー受信器によって受け取られたエネルギーは、まずエネルギー安定化ユニットにおいて蓄積し安定化して、次に、所定の総エネルギー量が消費されるまで消費することができる。さらに、内部エネルギー受信器におけるエネルギー受信率が所定のエネルギー消費率に対応するように無線エネルギーの伝送を制御することもできる。
【００３６】
さらに、医療デバイスの電気的パラメータおよび／または物理的パラメータならびに／あるいは患者の物理的パラメータを求め、パラメータに基づいて総エネルギー伝送量を求めることができる。その場合、内部エネルギー受信器によって受け取られたエネルギーを、まずエネルギー安定化ユニットにおいて蓄積し安定化して、次に、所定の総エネルギー量が消費されるまで蓄積しておくことができる。
【００３７】
エネルギーは、所定の蓄積率に従ってエネルギー蓄積デバイスに蓄積される。次に、所定の総エネルギー量が蓄積されたときに無線エネルギーの伝送をオフにすることができる。さらに、内部エネルギー受信器におけるエネルギー受信率が所定の蓄積率に対応するように無線エネルギーの伝送を制御することができる。
【００３８】
医療デバイスのエネルギー蓄積デバイスは、第１の蓄積デバイスと第２の蓄積デバイスとを備えてよく、その場合、内部エネルギー受信器によって受け取られたエネルギーは、まず第１の蓄積デバイスに蓄積され、次に、第１の蓄積デバイスから後段の第２の蓄積デバイスに供給される。
【００３９】
エネルギー蓄積デバイス内の第１および第２の蓄積デバイスを使用すると、エネルギー・バランスをそれぞれの異なる方法で求めることができる。第１に、第１の蓄積デバイスにおける現在のエネルギー蓄積量を検出することによってエネルギー・バランスを求めることができ、次に、第２の蓄積デバイスにおける蓄積率が内部エネルギー受信器におけるエネルギー受容率に対応するように無線エネルギーの伝送を制御することができる。第２に、第１の蓄積デバイスにおける検出された総エネルギー蓄積量に基づいてエネルギー・バランスを求めることができる。第３に、第１の蓄積デバイスにおける現在のエネルギー蓄積量の変化を検出することによってエネルギー・バランスを求めることができる。第４に、第１の蓄積デバイスにおける現在のエネルギー蓄積量の変化の方向および率を検出することによってエネルギー・バランスを求めることができる。
【００４０】
安定化されたエネルギーはまず、第２の蓄積デバイスで測定された電圧が所定の最大電圧に達するまで、定電流回路によって維持されている一定の電流によって第１の蓄積デバイスから第２の蓄積デバイスに供給し、その後、定電圧回路によって維持されている一定の電圧によって第１の蓄積デバイスから第２の蓄積デバイスに供給することができる。その場合、所定の最低エネルギー伝送率に達したときに無線エネルギーの伝送をオフにすることができる。
【００４１】
エネルギーの伝送はさらに、内部エネルギー受信器によるエネルギー受コンデンサが第２の蓄積デバイスにおけるエネルギー蓄積量に対応するように制御することができる。その場合、内部エネルギー受信器におけるエネルギー受容率が第２の蓄積デバイスにおけるエネルギー蓄積率に対応するように、エネルギーの伝送を制御することができる。内部エネルギー受信器における総エネルギー受容量が第２の蓄積デバイスにおける総エネルギー蓄積量に対応するように、エネルギーの伝送を制御することもできる。
【００４２】
所定の総エネルギー量が蓄積されたときに無線エネルギーの伝送がオフにされる場合、医療デバイスの電気的パラメータおよび／または物理的パラメータならびに／あるいは患者の物理的パラメータを第１のエネルギー蓄積手順の間に求めることができ、その後のエネルギー蓄積手順の間に、パラメータに基づいて所定の総エネルギー量を蓄積することができる。
【００４３】
医療デバイスの電気的パラメータおよび／または物理的パラメータならびに／あるいは患者の物理的パラメータを求めると、パラメータに基づいて求められた蓄積率でエネルギー蓄積デバイスにエネルギーを蓄積することができる。その場合、パラメータに基づいて求められる総エネルギー量をエネルギー蓄積デバイスに蓄積することができる。次に、総エネルギー量が蓄積されたときに無線エネルギーの伝送を自動的にオフにすることができる。内部エネルギー受信器におけるエネルギー受容率が蓄積率に対応するように無線エネルギーの伝送を制御することもできる。
【００４４】
医療デバイスの電気的パラメータおよび／または物理的パラメータならびに／あるいは患者の物理的パラメータを求めると、前記パラメータに基づいて求められた総エネルギー量をエネルギー蓄積デバイスに蓄積することができる。次に、内部エネルギー受信器における総エネルギー受容量が総エネルギー蓄積量に対応するように無線エネルギーの伝送を制御することができる。さらに、総エネルギー量が蓄積されたときに無線エネルギーの伝送を自動的にオフにすることができる。
【００４５】
医療デバイスに使用されるエネルギーの一部が消費され、一部が蓄積されるとき、所定のエネルギー消費率および所定のエネルギー蓄積率に基づいて無線エネルギーの伝送を制御することができる。その場合、消費され蓄積される所定の総エネルギー量が受け取られたときにエネルギーの伝送をオフにすることができる。消費され蓄積される所定の総エネルギー量が受け取られたときにエネルギーの伝送をオフにすることができる。
【００４６】
医療デバイスの電気的パラメータおよび／または物理的パラメータならびに／あるいは患者の物理的パラメータを求めると、前記パラメータに基づいて求められる単位時間当たり伝送率に従ってエネルギーを伝送して、消費し蓄積することができる。総エネルギー伝送量を前記パラメータに基づいて求めることもできる。
【００４７】
医療デバイスの電気的パラメータおよび／または物理的パラメータならびに／あるいは患者の物理的パラメータを求めると、前記パラメータに基づいて求められた供給率でエネルギーをエネルギー蓄積デバイスから医療デバイスに供給して消費することができる。その場合、エネルギー蓄積デバイスから医療デバイスに供給されて消費される総エネルギー量を前記パラメータに基づく量にすることができる。
【００４８】
医療デバイスの電気的パラメータおよび／または物理的パラメータならびに／あるいは患者の物理的パラメータを求めると、総エネルギー量をエネルギー蓄積デバイスから医療デバイスに供給して消費することができ、その場合、総エネルギー供給量はパラメータに基づいて求められる。
【００４９】
内部エネルギー受信器によって受け取られたエネルギーをエネルギー安定化ユニットにおいて蓄積し安定化すると、エネルギー蓄積デバイスにおける蓄積率が内部エネルギー受信器におけるエネルギー受容率に対応するように、エネルギー安定化ユニットにおける蓄積率に基づいてエネルギー・バランスを求めることができる。
【００５０】
内部エネルギー受信器によって受け取られた総エネルギー量と総エネルギー消費量および／または総エネルギー蓄積量との差が検出され、検出された差がエネルギー・バランスに関する測定された少なくとも１つの電気的パラメータの経時的な積分に関する差であるときに、エネルギー・バランスに関する監視された電圧および／または電流について積分を求めることができる。
【００５１】
エネルギー消費量および／またはエネルギー蓄積量に関する測定された電気的パラメータの経時的な導関数を求めると、エネルギー・バランスに関する監視された電圧および／または電流について導関数を求めることができる。
【００５２】
エネルギー蓄積デバイス内の第１および第２の蓄積デバイスを使用する際、第２の蓄積デバイスはエネルギーを直接または間接的に医療デバイスに供給することができ、その場合、差の変化は、第１の蓄積ユニットに蓄積されたエネルギー量の変化に対応する。この場合、第１の蓄積デバイスにおけるエネルギー蓄積率の経時的な変化を検出することによってエネルギー・バランスを求めることができ、エネルギー・バランスは変化に対応する。エネルギー蓄積量を示す測定された電気的パラメータの導関数を経時的に求めることによって、エネルギー蓄積量の変化を検出することもでき、この導関数は、エネルギー蓄積量の変化に対応する。電気的パラメータの変化率を検出することもでき、導関数が変化率に関係付けられる。電気的パラメータは、エネルギー・バランスに関する測定された電圧および／または電流であってよい。
【００５３】
第１の蓄積デバイスは、コンデンサおよび半導体の少なくとも一方を含んでよく、第２の蓄積デバイスは、再充電可能な電池、アキュムレータ、およびコンデンサの少なくとも１つを含む。
【００５４】
上述のように、無線エネルギーは、外部エネルギー源内の一次コイルから内部エネルギー受信器内の二次コイルに誘導的に伝送することができる。しかし、無線エネルギーを非誘導的に伝送することもできる。たとえば、無線エネルギーを音声または圧力の変化、無線、あるいは光によって伝送することができる。無線エネルギーをパルスまたは波で伝送し、かつ／あるいは電界によって伝送することもできる。
【００５５】
無線エネルギーが外部エネルギー源から内部エネルギー受信器にパルスで伝送されるとき、パルスの幅を調整することによって無線エネルギーの伝送を制御することができる。
【００５６】
内部エネルギー受信器による総エネルギー受容量と総エネルギー消費量との差を直接または間接的に経時的に測定すると、差の変化を検出することによってエネルギー・バランスを求めることができる。その場合、エネルギー消費量に関する測定された電気パラメータの導関数を経時的に求めることによってエネルギー消費量の変化を検出することができ、この導関数は、エネルギー消費量の変化率に対応し、変化率は変化の方向および速度を含む。この場合、電気パラメータの変化率を検出することができ、導関数が検出された変化率に関係付けられる。
【００５７】
エネルギー蓄積デバイス内の第１および第２の蓄積デバイスを使用するとき、第２の蓄積デバイスと比べて比較的高いエネルギー充填率で充填され、それによって比較的高速の充填が可能になるように第１の蓄積デバイスを構成することができる。第１の蓄積デバイスは、第２の蓄積デバイスと比べてより頻繁に複数の個々の充填機会に充填され、それによって充填機会に関して比較的長い寿命が得られるように構成することもできる。第１の蓄積デバイスは少なくとも１つのコンデンサを備えてよい。通常、第１の蓄積デバイスのみを第２の蓄積デバイスに必要なよりも頻繁に充填することができる。
【００５８】
第２の蓄積デバイスを充填する必要があるときは、充填に必要な時間を短縮するために、第１の蓄積デバイスが複数の個々の充填機会に充填され、それによって、第１の蓄積デバイス用の充填機会同士の間に、比較的低いエネルギー充填率で第２の蓄積デバイスを充填する時間が残る。医療デバイスの電気的パラメータを求めると、パラメータに基づいて第２の蓄積デバイスの充填を制御することができる。定電流回路または安定化電圧回路を使用して第２の蓄積デバイスにエネルギーを蓄積することができる。
【００５９】
フィードバック・システムに基づいて無線エネルギー供給を制御するシステム  外部エネルギー源からの無線エネルギーの伝送は、立ち上がりおよび立下りを有する第１の電気回路からの電気パルスを外部エネルギー源に印加して無線エネルギーを伝送し、電気パルスの連続する立ち上がりと立下りとの間の第１の時間間隔の長さおよび／または電気パルスの連続する立下りと立ち上がりとの間の第２の時間間隔の長さを変化させ、第１および／または第２の時間間隔の長さに応じて変化する電力を有する電気パルスから生成された無線エネルギーを伝送することによって制御することができる。
【００６０】
したがって、人体の外部に配置された外部エネルギー伝送デバイスから人体の内部に配置された内部エネルギー受信器に無線エネルギーを伝送する方法であって、
立ち上がりおよび立下りを有する第１の電気回路からの電気パルスを外部伝送デバイスに印加して無線エネルギーを伝送することと、
電気パルスの連続する立ち上がりと立下りとの間の第１の時間間隔の長さおよび／または電気パルスの連続する立下りと立ち上がりとの間の第２の時間間隔の長さを変化させることと、
第１および／または第２の時間間隔の長さに応じて変化する電力を有する電気パルスから生成された無線エネルギーを伝送することとを含む方法が提供される。
【００６１】
人体の外部に配置された外部エネルギー伝送デバイスから人体の内部に配置された内部エネルギー受信器に無線エネルギーを伝送するように構成された装置であって、
無線エネルギーを供給するように構成された外部伝送デバイスに、立ち上がりおよび立下りを有する電気パルスを供給する第１の電気回路を備え、
電気回路は、電気パルスの連続する立ち上がりと立下りとの間の第１の時間間隔の長さおよび／または電気パルスの連続する立下りと立ち上がりとの間の第２の時間間隔の長さを変化させるように構成され、
伝送される無線エネルギーは、第１および／または第２の時間間隔の長さに応じて変化する電力を有する電気パルスから生成される装置も提供される。
【００６２】
この方法および装置は、以下の様々な実施形態および特徴に従って実施することができる。
【００６３】
その場合、第１および／または第２の時間間隔を変化させる際に電気パルスの周波数はほぼ一定であってよい。電気パルスを印加する際、電気パルスは、第１および／または第２の時間間隔が変化することを除いて変化しなくてよい。第１および／または第２の時間間隔を変化させる際、電気パルスの振幅はほぼ一定であってよい。さらに、電気パルスは、電気パルスの連続する立ち上がりと立下りとの間の第１の時間間隔の長さを変化させることによってのみ変化させることができる。
【００６４】
２つ以上の電気パルスの列を一列として供給することができ、その場合、パルス列を印加する際、パルス列は、パルス列の開始位置に第１の電気パルスを有し、かつパルス列の終了位置に第２の電気パルスを有し、２つ以上のパルス列を一列として供給することができ、第１のパルス列内の第２の電気パルスの立下りとそれに続く、第２のパルス列の第１の電気パルスの立ち上がりとの間の第２の時間間隔の長さが変化する。
【００６５】
電気パルスを印加する際、電気パルスは、ほぼ一定の電流とほぼ一定の電圧とを有してよい。電気パルスは、ほぼ一定の電流とほぼ一定の電圧とを有してもよい。さらに、電気パルスは、ほぼ一定の周波数を有してもよい。同様に、パルス列内の電気パルスは、ほぼ一定の周波数を有してよい。
【００６６】
外部エネルギー源に電気パルスを印加すると、電気パルスは、第１および第２の時間間隔を変化させることによって変化する電磁界を外部エネルギー源上で生成することができ、電磁界は、内部エネルギー受信器に伝送されるエネルギーを保持する電気パルスを内部エネルギー受信器内に誘導することができる。その場合、無線エネルギーは、外部エネルギー源から内部エネルギー受信器にほぼ純粋に誘導的に伝送される。
【００６７】
電気パルスは、第１および／または第２の時間間隔を変化させると、結果的に伝送されるエネルギーが変化するような、連続するパルス同士の間の周波数および／または時間周期で第１の電気回路から放出することができる。電気パルスを印加する際、電気パルスはほぼ一定の周波数を有してよい。
【００６８】
第１の電気回路および外部エネルギー源によって形成される回路は、第１の固有時間周期または第１の時定数を有してよく、伝送されるエネルギーを効果的に変化させる際、そのような周波周期は、第１の固有時間周期または時定数の範囲以下であってよい。
【００６９】
エネルギー・フィードバック・システムと一緒に使用される装置および方法の一実施形態  無線エネルギーを使用して、患者の器官の組織壁によって形成される内腔内の流体および／または他の体物質の流れを制御することができる。その場合、組織壁の少なくとも一部を軽く狭さくさせて内腔内の流れに影響を与えることができ、かつ狭さくした壁部を刺激し、壁部を収縮させて内腔内の流れにさらに影響を及ぼすことができる。
【００７０】
本実施形態の目的は、体器官の組織壁によって形成される内腔内の流体および／または体物質の流れを制御するように構成された装置または制御する方法であって、そのような体器官を狭さくさせる移植された従来技術によって生じる組織壁の損傷の問題を少なくともほぼ解消するか、あるいは場合によっては完全に解消する装置または方法を提供することである。
【００７１】
本発明のこの目的によれば、体器官の組織壁によって形成される内腔内の流体および／または体物質の流れを制御するように構成された装置または制御する方法であって、装置が、組織壁の一部を軽く狭さくさせて内腔内の流れに影響を与える移植可能な狭さくデバイスと、組織壁の壁部を刺激する刺激デバイスと、狭さくデバイスが壁部を狭さくさせるときに壁部を刺激し、壁部を収縮させて内腔内の流れにさらに影響を与えるように刺激デバイスを制御する制御デバイスとを備える装置または方法が提供される。
【００７２】
本発明は、体器官内の流体および／または他の体物質の流れに２段階で影響を与える、狭さくデバイスと刺激デバイスの有利な組合せを提供する。したがって、狭さくデバイスは、比較的弱い力を壁部に加えることによって組織壁を軽く狭さくさせることができ、刺激デバイスは、狭さくした壁部を刺激して、内腔内の流れに所望の最終的な影響を及ぼすことができる。句「組織壁の一部を軽く狭さくさせる」は、組織壁内の血液循環をほとんど阻害せずに壁部を狭さくさせることと理解されたい。
【００７３】
したがって、内腔内の流れを制御する方法と内腔内の流れを制御するように構成された装置はどちらも、以下の様々な実施形態および特徴に従って実施することができる。
【００７４】
好ましくは、刺激デバイスは、狭さくデバイスが壁部を狭さくさせるときに壁部のそれぞれの異なる領域を刺激するように構成され、制御デバイスは、壁部の各領域を間欠的にかつ個別に刺激するように刺激デバイスを制御する。器官の壁部のそれぞれの異なる領域をこのように間欠的にかつ個別に刺激すると、壁部の組織は、本発明の装置の動作時にほぼ正常な血液循環を維持することができる。
【００７５】
狭さくデバイスと刺激デバイスの組合せは、任意の種類の器官、限定するわけではないが特に管状体器官の任意の場所に本発明の装置または方法を適用するのを可能にするが、これは、括約筋の機能不全を生じさせる電気刺激に制限される従来の刺激デバイスと比べて顕著な進歩である。
【００７６】
本発明を使用するたいていの用途では、移植された狭さくデバイスが毎日調整される。
したがって、本発明の好ましい実施形態では、狭さくデバイスは、必要に応じて壁部の狭さくを調整するのを可能にするように調整可能であり、その場合、制御デバイスは、壁部の狭さくを調整するように狭さくデバイスを制御する。制御デバイスは、狭さくデバイスと刺激デバイスを互いに独立してかつ同時に制御することができる。任意に、制御デバイスは、壁部の狭さくを変化させるように狭さくデバイスを制御しつつ、壁部を刺激するかあるいは壁部を刺激しないように刺激デバイスを制御することができる。
【００７７】
最初、制御デバイスを使用して、壁部を刺激するように刺激デバイスを制御し、一方、内腔内の流れの所望の制限が得られるまで壁部の狭さくを調整するように狭さくデバイスを制御することによって、狭さくデバイスを較正することができる。
【００７８】
流れ制限  本発明の装置は、体器官の内腔内の流体および／または他の体物質の流れを制限するのによく適している。したがって、本発明の原理的な実施形態では、狭さくデバイスは、壁部を狭さくさせて内腔内の流れを少なくとも制限するように構成され、制御デバイスは、狭さくした壁部を収縮させ、したがって、内腔内の流れが少なくともさらに制限されるように刺激デバイスを制御する。具体的には、狭さくデバイスは、壁部を狭さくさせ、狭さくした壁部内の血液循環がほぼ制限されず、内腔内の流れが少なくとも制限される狭さく状態にするように構成され、制御デバイスは、壁部を収縮させ、したがって、壁部が狭さくデバイスによって狭さく状態に維持されているときに内腔内の流れが少なくともさらに制限されるように刺激デバイスを制御する。
【００７９】
狭さくデバイスおよび刺激デバイスは、本発明の装置の特定の用途で実現されるのが望ましい流れ制限に応じた程度にそれぞれ狭さくおよび刺激を行うように制御することができる。したがって、第１の流れ制限態様によれば、制御デバイスは、壁部を狭さくさせ、したがって、内腔内の流れが制限されるかまたは停止されるように狭さくデバイスを制御し、かつ狭さくした壁部を刺激して収縮させ、したがって、内腔内の流れがさらに制限されるかあるいはより安全に停止されるように刺激デバイスを制御する。より正確には、制御デバイスは、狭さくした壁部を刺激して内腔内の流れをさらに制限するかあるいは停止するように第１のモードで刺激デバイスを制御し、
ａ）壁部の刺激を停止して内腔内の流量を増大させるように第２のモードで刺激デバイスを制御し、
ｂ）壁部の刺激を停止し、壁部を解放して内腔内の流れを回復するように第２のモードで刺激デバイスおよび狭さくデバイスを制御する。
【００８０】
内腔内の流体および／または他の体物質の移動  一実施形態では、狭さくデバイスは、壁部を狭さくさせて内腔内の流れを制限するかあるいは変化させるように構成され、制御デバイスは、狭さくした壁部を内腔の下流側方向または上流側方向で徐々に刺激し、壁部を徐々に収縮させて内腔内の流体および／または他の体物質を移動させるように刺激デバイスを制御する。
【００８１】
刺激  制御デバイスは、たとえば、それぞれの異なる領域を順次刺激することによって、壁部の１つまたは複数の領域を一度に刺激するように刺激デバイスを制御することができる。
さらに、制御デバイスは、各領域の刺激を、好ましくは所定の刺激パターンに従って壁部に沿って循環的に伝搬するように刺激デバイスを制御することができる。組織壁の刺激時に組織壁の所望の反応を得るために、制御デバイスは、壁部の刺激の強度を、好ましくは循環的に変化させるように刺激デバイスを制御することができる。
【００８２】
本発明の好ましい実施形態では、制御デバイスは、好ましくはパルス列を形成するパルスによって壁部の各領域を間欠的に刺激するように刺激デバイスを制御する。壁部の各領域の少なくとも第１の領域および第２の領域をそれぞれ第１のパルス列および第２のパルス列によって、第１のパルス列と第２のパルス列が経時的に互いに対してずれるように繰り返し刺激することができる。たとえば、第１の領域を第１のパルス列によって刺激し、一方、第２のパルス列による第２の領域の刺激を行わないことができ、また、第２の領域を第２のパルス列によって刺激し、一方、第１のパルス列による第１の領域の刺激を行わないことができる。あるいは、第１のパルス列と第２のパルス列が少なくとも部分的に重なり合うように第１のパルス列と第２のパルス列を互いに対してずらすことができる。
【００８３】
パルス列は多数の異なる方法で構成することができる。したがって、制御デバイスは、パルス列のパルスの振幅、各パルス列の個々のパルスを負荷サイクル、パルス列の各パルスの幅、各パルス列の長さ、パルス列の各パルスの繰り返し周波数、各パルス列の繰り返し周波数、各パルス列のパルスの数、および／または各パルス列間のオフ・タイム周期を変化させるように刺激デバイスを制御することができる。それぞれの異なる構成のいくつかのパルス列を使用して所望の効果を得ることができる。
【００８４】
制御デバイスが、壁部のそれぞれの領域を刺激する各パルス列間のオフ・タイム周期を変化させるように刺激デバイスを制御する場合、その領域がオフ・タイム周期中に刺激されないときにその領域内にほぼ正常な血液循環を回復するのに十分な時間にわたって持続するように各パルス列間の各オフ・タイム周期を制御することも可能である。
【００８５】
電気刺激デバイスは好適には、壁部に係合し、電気パルスによって壁部を刺激する、少なくとも１つ、好ましくは複数の、電極などの電気部材を備える。任意に、各電気部材を互いに対して一定の向きに配置することができる。制御デバイスは、電気部材を一度に１つずつあるいは一度に数群の電気部材を通電するように電気刺激デバイスを制御する。制御デバイスは、電気パルスによって各部材を循環的に通電するように電気刺激デバイスを制御することが好ましい。任意に、制御デバイスは、電気部材が一度に１つずつ順次通電されるか、あるいはいくつかの電気部材または数群の電気部材が同時に通電されるように各電気部材を通電するように刺激デバイスを制御することができる。さらに、数群の電気部材を無作為にあるいは所定のパターンに従って順次通電することができる。
【００８６】
電気部材は、電気部材の任意のパターンを形成することができる。好ましくは、電気部材は、電気部材の細長いパターンを形成し、その場合、電気部材の細長いパターンが器官の壁に沿って長さ方向に延び、かつ電気部材が壁部のそれぞれの領域に当接するように、電気部材を患者の器官の壁に取り付けることができる。電気部材の細長いパターンは、器官の壁に沿って長さ方向に延びる一列または複数列の電気部材を含んでよい。電気部材の各列は、電気部材の直線状、らせん状、またはジグザグ状の経路を形成するか、あるいは任意の形態の経路を形成することができる。制御デバイスは、電気部材の細長いパターンに沿って長手方向に、患者の内腔内の流れに対して逆方向または同方向に連続的に通電するように刺激デバイスを制御することができる。
【００８７】
本発明の好ましい実施形態によれば、電気部材は、各群が、患者の内腔内の流れ方向に患者の器官に沿って延びる一連の群を形成する、複数部材群を形成する。各電気部材群の電気部材は、患者の器官の周囲の少なくとも一部に沿って延びる部材の経路を形成することができる。第１の代替実施形態では、各電気部材群の電気部材は、患者の器官のそれぞれの異なる側を、好ましくは患者の内腔内の流れ方向をほぼ横切って延びる、２つよりも多くの部材経路を形成することができる。制御デバイスは、一連の群における電気部材群を無作為にあるいは所定のパターンに従って通電するように刺激デバイスを制御することができる。あるいは、制御デバイスは、狭さくした壁部のほぼ中心の位置から、患者の内腔内の流れに対して逆方向または同方向、あるいはその両方向に、一連の群における電気部材群を連続的に通電するように刺激デバイスを制御することができる。たとえば、通電された電気部材の群は、上述のように、通電された電気部材の前進波を形成することができ、すなわち、制御デバイスは、狭さくした壁部の中心から電気部材の細長いパターンの両端に向かう互いに逆の２つの方向に同時に前進する、通電された電気部材の２つの波を形成するように、各電気部材群を通電するように刺激デバイスを制御することができる。
【００８８】
機械操作  操作デバイスは、狭さく／刺激ユニットの狭さくデバイスを機械的に動作させる場合、膨張不能であってよい。さらに、操作デバイスは、歯車箱を含んでよいサーボ・システムを備えてよい。語「サーボ・システム」は、サーボ機構の通常の定義、すなわち、非常に小さな力によって大きな力を制御する自動デバイスを包含するが、その代わりにあるいはそれに加えて、長いストロークを有する移動部材に作用する弱い力を短いストロークを有する他の移動部材に作用する強い力に変換する機構の定義を包含してよい。操作デバイスは、狭さくデバイスを非磁気的にかつ／あるいは非手動で動作させることが好ましい。操作デバイスにモータを動作可能に連結することができる。操作デバイスは、少なくとも１つの可逆機能を実行するように動作可能であってよく、モータは、この機能を反転させることができてよい。
【００８９】
油圧操作  操作デバイスが、制限／刺激ユニットの狭さくデバイスを油圧式に動作させる場合、操作デバイスは、狭さくデバイスを調整する油圧手段を含む。
【００９０】
本発明の一実施形態では、油圧手段は、リザーバと膨張可能／収縮可能なキャビティとを狭さくデバイスに備え、その場合、操作デバイスは、油圧流体をリザーバから分散させてキャビティを膨張させ、油圧流体をキャビティからリザーバまで分散させてキャビティを収縮させる。キャビティは、患者の器官の組織壁部に当接する狭さくデバイスのバルーンによって形成することができ、したがって、患者の壁部は、キャビティの膨張時に狭さくし、キャビティの収縮時に解放される。
【００９１】
あるいは、キャビティは、狭さくデバイスの比較的大きな収縮部材、たとえば、壁部に当接する大きなバルーンを変位させる蛇腹部材によって形成することができ、したがって、患者の壁部は、蛇腹部材の収縮時に狭さくし、蛇腹部材の膨張時に解放される。したがって、蛇腹部材に油圧流体を比較的少量添加すると、壁部の狭さくがかなり増大する。このような蛇腹部材は、適切に構成されたピストン／シリンダ機構で置き換えることもできる。
【００９２】
油圧手段が狭さくデバイスにキャビティを備える場合、本発明の装置は、以下に列挙する態様に従って構成することができる。
【００９３】
１）リザーバは、第１および第２の壁部を備え、操作デバイスは、第１および第２の壁部を互いに対して変位させてリザーバの体積を変化させ、したがって、流体がリザーバからキャビティ、またはキャビティからリザーバに分散する。
【００９４】
１ａ）リザーバの第１および第２の壁部は、磁気デバイス、油圧デバイス、電気制御デバイスの少なくとも１つによって互いに対して変位可能である。
【００９５】
２）装置は、リザーバとキャビティとの間に流体導管を備え、その場合、リザーバは導管の一部を形成する。導管およびリザーバおよび装置には逆止め弁はない。リザーバは、可変体積を有する流体チャンバを形成し、チャンバの体積を低減させることによって流体をチャンバからキャビティに分散させ、チャンバの体積を増大させることによって流体をキャビティから引き出す。装置は、チャンバの体積を変化させる可動壁を備えるリザーバを駆動するモータをさらに備える。
【００９６】
本発明の特殊な実施形態では、操作デバイスは、油圧手段に動作可能に連結された反転サーボを備える。語「反転サーボ」は、短いストロークを有する移動部材に作用する強い力を長いストロークを有する他の移動部材に作用する弱い力に変換する機構、すなわち、通常のサーボ機構の逆の機能であると理解されたい。したがって、より小さいリザーバ内の流体の量のわずかな変化が、反転サーボによって、より大きなリザーバ内の流体の量の大きな変化に変換される。反転サーボは特に、その手動操作に適している。
【００９７】
制御デバイスの構成  制御デバイスは好適には、患者の体外から狭さく／刺激ユニットを制御する。制御デバイスは、患者によって操作可能であることが好ましい。たとえば、制御デバイスは、狭さく／刺激ユニットのオンとオフを切り替える手動スイッチを備えてよく、その場合、スイッチは、患者に皮下移植され、患者の体外から手動であるいは磁気的に操作されるように構成される。あるいは、制御デバイスは、好都合なことに、狭さく／刺激ユニットのオンとオフを切り替えるように患者によって操作可能である手持ち式無線リモート・コントロールを備えることができる。無線リモート・コントロールは、腕時計のように患者の体に取り付けられるように構成することもできる。このような腕時計型のリモート・コントロールは、装置の移植された信号応答手段に患者の体を従わせる制御信号を放出することができる。
【００９８】
外部エネルギー伝送デバイスからの無線エネルギーの伝送は、立ち上がりおよび立下りを有する第１の電気回路からの電気パルスを外部エネルギー伝送デバイスに印加し、電気パルスの連続する立ち上がりと立下りとの間の第１の時間間隔の長さおよび／または電気パルスの連続する立下りと立ち上がりとの間の第２の時間間隔の長さを変化させ、第１および／または第２の時間間隔の長さに応じて変化する電力を有する電気パルスから生成された無線エネルギーを伝送することによって制御することができる。
【００９９】
したがって、無線エネルギーの伝送を制御する方法であって、
立ち上がりおよび立下りを有する第１の電気回路からの電気パルスを外部伝送デバイスに印加して無線デバイスを伝送することと、
電気パルスの連続する立ち上がりと立下りとの間の第１の時間間隔の長さおよび／または電気パルスの連続する立下りと立ち上がりとの間の第２の時間間隔の長さを変化させることと、
第１および／または第２の時間間隔の長さに応じて変化する電力を有する電気パルスから生成された無線エネルギーを伝送することとを含む方法が提供される。
【０１００】
さらに、人体の外部に配置された外部エネルギー伝送デバイスから人体の内部に配置された内部エネルギー受信器に無線エネルギーを伝送するように構成された装置であって、
無線エネルギーを供給するように構成された外部エネルギー伝送デバイスに、立ち上がりおよび立下りを有する電気パルスを供給する第１の電気回路を備え、
電気回路が、電気パルスの連続する立ち上がりと立下りとの間の第１の時間間隔の長さおよび／または電気パルスの連続する立下りと立ち上がりとの間の第２の時間間隔の長さを変化させるように構成され、
伝送されるエネルギーが、第１および／または第２の時間間隔の長さに応じて変化する電力を有する電気パルスから生成される装置が提供される。
【図面の簡単な説明】
【０１０１】
【図１】電気的に動作可能な医療デバイスに正確な量のエネルギーを供給する構成を示す概略ブロック図である。
【図２】患者に移植された電気的に動作可能な医療デバイスに供給される無線エネルギーの伝送を制御する装置のより詳細なブロック図である。
【図３】可能な実施例による、無線エネルギーの伝送を制御する装置の提案された構成を示す概略回路図である。
【図４】図３の回路図による本発明の方法および装置を実施する際に得られる様々な測定値を示す図である。
【図５】図３の回路図による本発明の方法および装置を実施する際に得られる様々な測定値を示す図である。
【図６】図３の回路図による本発明の方法および装置を実施する際に得られる様々な測定値を示す図である。
【図７】図３の回路図による本発明の方法および装置を実施する際に得られる様々な測定値を示す図である。
【図８】図３の回路図による本発明の方法および装置を実施する際に得られる様々な測定値を示す図である。
【図９】図３の回路図による本発明の方法および装置を実施する際に得られる様々な測定値を示す図である。
【図１０】図３の回路図による本発明の方法および装置を実施する際に得られる様々な測定値を示す図である。
【図１１】図３の回路図による本発明の方法および装置を実施する際に得られる様々な測定値を示す図である。
【図１２】図３の回路図による本発明の方法および装置を実施する際に得られる様々な測定値を示す図である。
【図１３ａ】本発明による装置の一般的な実施形態のそれぞれの異なる動作状態を概略的に示す図である。
【図１３ｂ】本発明による装置の一般的な実施形態のそれぞれの異なる動作状態を概略的に示す図である。
【図１３ｃ】本発明による装置の一般的な実施形態のそれぞれの異なる動作状態を概略的に示す図である。
【図１３ｄ】本発明による装置の一般的な実施形態のそれぞれの異なる動作状態を概略的に示す図である。
【図１３ｅ】本発明による装置の一般的な実施形態のそれぞれの異なる動作状態を概略的に示す図である。
【図１３ｆ】一般的な実施形態の変形例のそれぞれの異なる動作状態を示す図である。
【図１３ｇ】一般的な実施形態の変形例のそれぞれの異なる動作状態を示す図である。
【図１３ｈ】一般的な実施形態の変形例それぞれの異なる動作状態を示す図である。
【図１３ｉ】一般的な実施形態の変形例の他の動作モードを示す図である。
【図１３ｊ】一般的な実施形態の変形例の他の動作モードを示す図である。
【図１３ｋ】一般的な実施形態の変形例の他の動作モードを示す図である。
【図１４】狭さくデバイスおよび電気刺激デバイスを含む本発明による装置の好ましい実施形態の長手方向断面図である。
【図１５】図１０の線ＩＩＩ−ＩＩＩに沿った断面図である。
【図１６】図１１に示されているのと同じ断面図であるが、異なる動作状態にある装置を示す図である。
【図１７ａ】パルスの変形例を示す図である。
【図１７ｂ】パルス列の変形例を示す図である。
【発明を実施するための形態】
【０１０２】
次に、本発明について、添付の図面を参照して詳しく説明する。
【０１０３】
簡単に説明すると、無線エネルギーが、患者の外部に配置された外部エネルギー源から送られ、患者の内部に配置された内部エネルギー受信器によって受け取られる。内部エネルギー受信器は、患者に移植された電気的に動作可能な医療デバイスに接続されており、受け取られたエネルギーを医療デバイスに直接または間接的に供給する。内部エネルギー受信器によって受け取られたエネルギーと医療デバイスに使用されるエネルギーとのエネルギー・バランスが求められ、次に、求められたエネルギー・バランスに基づいて無線エネルギーの伝送が制御される。したがって、エネルギー・バランスは、温度を過度に上昇させずに医療デバイスを適切に動作させるのに十分な、必要とされるエネルギーの正しい量を正確に示す。
【０１０４】
図１には、患者に移植された電気的に動作可能な医療デバイス１００に正確な量のエネルギーを供給する構成が概略的に示されており、患者の皮膚が、患者の内部「Ｉｎｔ」を外部「Ｅｘｔ」から分離する縦線Ｓによって示されている。医療デバイス１００は、患者の内部の、好ましくは皮膚Ｓのすぐ下に配置された内部エネルギー受信器１０２に接続されている。一般的に言えば、エネルギー受信器１０２は、腹部、胸部、（たとえば、副壁内の）筋膜、皮下、または任意の他の適切な位置に配置することができる。エネルギー受信器１０２は、皮膚Ｓの外側の、エネルギー受信器１０２の近傍に配置された外部エネルギー源１０４から送られた無線エネルギーＥを受け取るように構成されている。
【０１０５】
当技術分野で公知のように、無線エネルギーＥは一般に、エネルギー源１０４内に配置された一次コイルと、エネルギー受信器１０２内に配置された隣接する二次コイルとを含むデバイスのような、任意の適切なＴＥＴデバイスによって送ることができる。一次コイルを通って電流が送られると、電圧の形態のエネルギーが二次コイル内で誘導され、たとえば、受け取られたエネルギーを電池やコンデンサのような、エネルギー蓄積デバイスまたはアキュムレータに蓄積した後で、このエネルギーを使用して医療デバイスを動作させることができる。しかし、本発明は一般に、特定のエネルギー伝送技術や、ＴＥＴデバイスや、エネルギー蓄積デバイスに限定されず、あらゆる種類の無線エネルギーを使用することができる。
【０１０６】
伝送されるエネルギーの量は、上述のように求められたエネルギー・バランスに基づいてエネルギー源１０４を制御する外部制御ユニット１０６によって調整することができる。正しい量のエネルギーを伝送するには、医療デバイス１００に接続された内部制御ユニット１０８によってエネルギー・バランスおよびエネルギー必要量を求めることができる。制御ユニット１０８は、医療デバイス１００を適切に動作させるのに必要な必要エネルギー量を何らかの点で反映する医療デバイス１００のある特性を測定する適切なセンサなど（不図示）によって得られる様々な測定値を受け取るように構成することができる。さらに、患者の現在の状態を適切な測定デバイスまたはセンサによって検出し、患者の状態を反映するパラメータを得ることもできる。したがって、このような特性および／またはパラメータを電力消費量、動作モード、温度のような医療デバイス１００の現在の状態と、たとえば体温、血圧、脈拍、呼吸によって反映される患者の状態に関係付けることができる。
【０１０７】
さらに、エネルギー蓄積デバイスまたはアキュムレータ（不図示）をエネルギー受信器１０２に接続して、後で医療デバイス１００によって使用される受け取られたエネルギーを蓄積することもできる。この代わりにあるいはこれに加えて、やはりエネルギー必要量を反映するエネルギー蓄積デバイスの特性を測定することもできる。エネルギー蓄積デバイスは電池であってよく、測定された特性は、電圧、温度のような電池の現在の状態に関係付けることができる。医療デバイス１００に十分な電圧および電流を供給し、さらに過度の加熱を回避するには、エネルギー受信器１０２から正しい量のエネルギー、すなわち、少な過ぎずかつ多過ぎないエネルギーを受け取ることによって電池を最適に充電する必要があることを明確に理解されたい。エネルギー蓄積デバイスは、対応する特性を有するコンデンサであってもよい。
【０１０８】
たとえば、電池の特性を定期的に測定して電池の現在の状態を判定し、次に、この状態を内部制御ユニット１０８内の適切な蓄積手段に状態情報として蓄積することができる。
したがって、新しい測定が行われるたびに、それに応じて、蓄積されている電池状態情報を更新することができる。このように、正しい量のエネルギーを伝送することによって電池の状態を「較正」し、電池を最適な状態に維持することができる。
【０１０９】
したがって、内部制御ユニット１０８は、医療デバイス１００、または患者、またはエネルギー蓄積デバイスが使用される場合にはエネルギー蓄積デバイス、またはそれらの任意の組合せにおける上述のセンサまたは測定デバイスによる測定値に基づいてエネルギー・バランスおよび／または現在のエネルギー必要量（単位時間当たりエネルギー量またはエネルギー蓄積量）を求めるように構成されている。内部制御ユニット１０８はさらに、求められたエネルギー必要量を反映する制御信号を、外部制御ユニット１０６に接続された外部信号受信器１１２に送信するように構成された内部信号送信器１１０に接続されている。したがって、エネルギー源１０４から伝送されるエネルギーの量は、受信された制御信号に応じて調整することができる。
【０１１０】
あるいは、センサ測定値を外部制御ユニット１０６に直接送ることができ、その場合、エネルギー・バランスおよび／または現在のエネルギー必要量を外部制御ユニット１０６によって求め、したがって、外部制御ユニット１０６内の内部制御ユニット１０８の上述の機能を統合することができる。この場合、内部制御ユニット１０８を省略することができ、センサ測定値は、測定値を受信器１１２および外部制御ユニット１０６に送る信号送信器１１０に直接供給される。したがって、エネルギー・バランスおよび現在のエネルギー必要量は、このようなセンサ測定値に基づいて外部制御ユニット１０６によって求めることができる。
【０１１１】
したがって、本解決手段は、たとえばエネルギーの量、エネルギー差、医療デバイスによるエネルギー使用率に対するエネルギー受容率に関する、受け取られたエネルギーと実際のエネルギー使用との比較に基づくものであるために従来の解決手段よりも効率的である、必要なエネルギーを示す情報のフィードバックを使用する。医療デバイスは、受け取られたエネルギーを使用してエネルギーを消費するかあるいはエネルギー蓄積デバイスなどに蓄積することができる。したがって、必要に応じて、さらに実際のエネルギー・バランスを求める手段として、上述の差分パラメータを使用することができる。しかし、そのようなパラメータはまた、基本的に、体内で特に医療デバイスを動作させるために取られるあらゆる措置に関して必要になることがある。
【０１１２】
内部信号送信器１１０および外部信号受信器１１２は、無線信号、ＩＲ（赤外線）信号、超音波信号のような適切な信号転送手段を使用する別個のユニットとして実施することができる。あるいは、基本的に同じ伝送技術を使用してエネルギー伝送に対する逆方向に制御信号を搬送するように、信号送信器１１０および信号受信器１１２をそれぞれ内部エネルギー受信器１０２およびエネルギー源１０４に組み込むことができる。制御信号は、周波数、位相、または振幅に関して変調することができる。
【０１１３】
結論として、図１に示されているエネルギー供給構成は基本的に以下のように動作することができる。まず、内部制御ユニット１０８によってエネルギー・バランスが求められる。エネルギー必要量を反映する制御信号Ｓも内部制御ユニット１０８によって生成され、制御信号Ｓは、信号送信器１１０から信号受信器１１２に送信される。あるいは、その代わりに、上述のように実施例に応じて、外部制御ユニット１０６によってエネルギー・バランスを求めることができる。その場合、制御信号Ｓは、様々なセンサからの測定結果を搬送することができる。したがって、たとえば、受信された制御信号Ｓに応答して、求められたエネルギー・バランスに基づいて、エネルギー源１０４から放出されたエネルギーの量を外部制御ユニット１０６によって調整することができる。このプロセスは、実行中のエネルギー伝送時にある間隔で間欠的に繰り返すか、あるいはエネルギー伝送時にほぼ連続的に実行することができる。
【０１１４】
エネルギー伝送量は一般に、電圧、電流、振幅、波周波数、パルス特性のような、エネルギー源１０４における様々な伝送パラメータを調整することによって調整することができる。
【０１１５】
図２は、受け取られたエネルギーが医療デバイス２００にどのように供給されかつ医療デバイス２００によってどのように使用されるかについての、いくつかの異なる実施形態を示している。図１の例と同様に、内部エネルギー受信器２０２は、伝送制御ユニット２０６によって制御される外部エネルギー源２０４から無線エネルギーＥを受け取る。内部エネルギー受信器２０２は、図では破線のボックス「定Ｖ」として示され、医療デバイス２００に一定の電圧でエネルギーを供給する定電圧回路を備えてよい。内部エネルギー受信器２０２は、図では破線のボックス「定Ｃ」として示され、医療デバイス２００に一定の電流でエネルギーを供給する定電流回路を備えてよい。
【０１１６】
医療デバイス２００は、モータ、ポンプ、制限デバイス、または電気的に操作されるためのエネルギーを必要とする任意の他の医療機器であってよいエネルギー消費部２００ａを備えている。医療デバイス２００は、内部エネルギー受信器２０２から供給されたエネルギーを蓄積するエネルギー蓄積デバイス２００ｂをさらに備えてよい。したがって、供給されたエネルギーは、エネルギー消費部２００ａによって直接消費するかまたはエネルギー蓄積デバイス２００ｂによって蓄積することができ、あるいは供給されたエネルギーの一部を消費し、一部を蓄積することができる。医療デバイス２００は、内部エネルギー受信器２０２から供給されたエネルギーを安定化するエネルギー安定化ユニット２００ｃをさらに備えてよい。したがって、エネルギーは、消費または蓄積される前に安定化する必要が生じるように変動状態で供給することができる。
【０１１７】
内部エネルギー受信器２０２から供給されたエネルギーはさらに、医療デバイス２００によって消費されかつ／あるいは蓄積される前に、医療デバイス２００の外部に配置された別個のエネルギー安定化ユニット２０８によって蓄積しかつ／あるいは安定化することができる。あるいは、エネルギー安定化ユニット２０８を内部エネルギー受信器２０２に組み込むことができる。いずれの場合も、エネルギー安定化ユニット２０８は、定電圧回路および／または定電流回路を備えてよい。
【０１１８】
図１および図２は、様々な図示の機能構成部材および機能部材をどのように配置しかつ互いに接続するかに関する可能であるが非制限的ないくつかの実施例を示している。しかし、当業者には、本発明の範囲内で多数の変形および修正を施すことができることが容易に理解されよう。
【０１１９】
したがって、患者に移植された電気的に操作可能な医療デバイスに供給される無線エネルギーの伝送を制御する方法が提供される。無線エネルギーは、患者の外部に配置された外部エネルギー源から送られ、患者の内部に配置された内部エネルギー受信器によって受け取られ、内部エネルギー受信器は、医療デバイスに接続されており、受け取られたエネルギーを医療デバイスに直接または間接的に供給する。内部エネルギー受信器によって受け取られたエネルギーと医療デバイスに使用されるエネルギーとのエネルギー・バランスが求められ、次に、求められたエネルギー・バランスに基づいて外部エネルギー源からの無線エネルギーの伝送が制御される。
【０１２０】
患者に移植された電気的に操作可能な医療デバイスに供給される無線エネルギーの伝送を制御する装置も提供される。装置は、患者の外部に配置された外部エネルギー源から、患者の内部に配置された内部エネルギー受信器によって受け取られる無線エネルギーを送るように構成されており、内部エネルギー受信器は、医療デバイスに接続されており、受け取られたエネルギーを医療デバイスに直接または間接的に供給する。装置はさらに、内部エネルギー受信器によって受け取られたエネルギーと医療デバイスに使用されるエネルギーとのエネルギー・バランスを求め、求められたエネルギー・バランスに基づいて外部エネルギー源からの無線エネルギーの伝送を制御するように構成される。
【０１２１】
この方法および装置は、以下の様々な実施形態および特徴に従って実施することができる。
【０１２２】
無線エネルギーは、外部エネルギー源内の一次コイルから内部エネルギー受信器内の二次コイルに誘導的に伝送することができる。エネルギー・バランスの変化を検出し、検出されたエネルギー・バランスの変化に基づいて無線エネルギーの伝送を制御することができる。内部エネルギー受信器によって受け取られたエネルギーと医療デバイスに使用されるエネルギーとの差を検出し、検出されたエネルギー差に基づいて無線エネルギーの伝送を制御することもできる。
【０１２３】
エネルギーの伝送を制御する際、検出されたエネルギー・バランスの変化が、エネルギー・バランスが増大していることを示す場合に無線エネルギー伝送量を低減させ、検出されたエネルギー・バランスの変化が、エネルギー・バランスが低減していることを示す場合に無線エネルギー伝送量を増大させることができる。さらに、エネルギー伝送量の増減を検出された変化率に対応させることができる。
【０１２４】
検出されたエネルギー差が、受け取られたエネルギーが使用されたエネルギーよりも多いことを示す場合に、無線エネルギー伝送量をさらに低減させ、検出されたエネルギー差が、受け取られたエネルギーが使用されたエネルギーよりも少ないことを示す場合に、無線エネルギー伝送量をさらに増大させることができる。この場合、エネルギー伝送量の増減を検出されたエネルギー差の大きさに対応させることができる。
【０１２５】
上述のように、医療デバイスに使用されるエネルギーを消費して医療デバイスを動作させ、かつ／あるいは医療デバイスの少なくとも１つのエネルギー蓄積デバイスに蓄積することができる。
【０１２６】
一代替実施形態では、医療デバイスに使用されるほぼすべてのエネルギーが、医療デバイスを動作させるのに（たとえば、図２の消費部２００ａによって）消費される。その場合、エネルギーは、医療デバイスの少なくとも１つのエネルギー安定化ユニットで安定化された後に消費することができる。
【０１２７】
他の代替実施形態では、医療デバイスに使用されるほぼすべてのエネルギーが、少なくとも１つのエネルギー蓄積デバイスに蓄積される。他の代替実施形態では、医療デバイスに使用されるエネルギーの一部が医療デバイスを動作させるのに消費され、一部が少なくとも１つのエネルギー蓄積デバイスに蓄積される。
【０１２８】
内部エネルギー受信器によって受け取られたエネルギーは、直接または間接的に医療デバイスに供給される前にコンデンサによって安定化することができる。
【０１２９】
内部エネルギー受信器による総エネルギー受容量と総エネルギー消費量および／または総エネルギー蓄積量との差を直接または間接的に経時的に測定することができ、次に、検出された総差分の変化に基づいてエネルギー・バランスを求めることができる。
【０１３０】
さらに、内部エネルギー受信器によって受け取られたエネルギーを、医療デバイスに供給する前にエネルギー安定化ユニットにおいて蓄積し安定化しておくことができる。その場合、エネルギー消費量および／またはエネルギー蓄積量の検出される経時的な変化に基づいて、エネルギー・バランスを求めることができる。さらに、エネルギー消費量および／またはエネルギー蓄積量に関する測定された電気パラメータの導関数を経時的に求めることによって、エネルギー消費量および／またはエネルギー蓄積量の変化を検出することができ、その場合、第１の所与の瞬間における導関数は、第１の所与の瞬間における変化率に対応し、変化率は変化の方向および速度を含む。さらに、導関数は、電気的パラメータの検出された変化率に基づいて求めることができる。
【０１３１】
内部エネルギー受信器によって受け取られたエネルギーは、少なくとも１つの一定の電圧によって医療デバイスに供給することができ、その場合、一定の電圧は定電圧回路によって生成される。この場合、エネルギーは、少なくとも１つの一定の電圧を含む、少なくとも２つの異なる電圧によって供給することができる。
【０１３２】
内部エネルギー受信器によって受け取られたエネルギーは、少なくとも１つの一定の電流によって医療デバイスに供給することもでき、その場合、一定の電流は定電流回路によって生成される。この場合、エネルギーは、少なくとも１つの一定の電流を含む、少なくとも２つの異なる電流によって供給することができる。
【０１３３】
エネルギー・バランスは、内部エネルギー受信器による総エネルギー受容量と総エネルギー消費量および／または総エネルギー蓄積量との検出された差に基づいて求めることもでき、その場合、検出された差は、エネルギー・バランスに関する測定された少なくとも１つの電気的パラメータの経時的な積分に関する差である。この場合、電気的パラメータの値は、パラメータ−時間図のグラフとして時間に対してプロットすることができ、プロットされたグラフの下方の領域のサイズから積分を求めることができる。電気的パラメータの積分は、内部エネルギー受信器による総エネルギー受容量と総エネルギー消費量および／または総エネルギー蓄積量との蓄積された差としてエネルギー・バランスに関係付けることができる。
【０１３４】
医療デバイス内のエネルギー蓄積デバイスは、再充電可能な電池、アキュムレータ、コンデンサの少なくとも１つを含んでよい。エネルギー安定化ユニットは、受け取られたエネルギーを安定化するように構成されたアキュムレータ、コンデンサ、または半導体の少なくとも１つを含んでよい。
【０１３５】
内部エネルギー受信器によって受け取られたエネルギーを、医療デバイスおよび／またはエネルギー蓄積デバイスに供給する前に安定化ユニットにいて蓄積し安定化すると、定電圧回路に維持されている少なくとも１つの一定の電圧によって医療デバイスおよび／またはエネルギー蓄積デバイスにエネルギーを供給することができる。その場合、定電圧回路に維持され、少なくとも一方の電圧が一定である２つの異なる電圧を、医療デバイスおよびエネルギー蓄積デバイスに供給することができる。
【０１３６】
あるいは、内部エネルギー受信器によって受け取られたエネルギーを、医療デバイスおよび／またはエネルギー蓄積デバイスに供給する前に安定化ユニットにおいて蓄積し安定化すると、定電流回路に維持されている少なくとも１つの一定の電流によって医療デバイスおよび／またはエネルギー蓄積デバイスにエネルギーを供給することができる。その場合、定電流回路に維持され、少なくとも一方の電流が一定である２つの異なる電流を、医療デバイスおよびエネルギー蓄積デバイスに供給することができる。
【０１３７】
無線エネルギーは最初、所定のエネルギー消費量と蓄積率とに従って伝送することができる。その場合、無線エネルギーの伝送は、所定の総エネルギー量が伝送されたときにオフにすることができる。この場合、内部エネルギー受信器によって受け取られたエネルギーは、所定の総エネルギー量が消費されかつ／あるいは蓄積されるまで医療デバイスを動作させるのに消費されかつ／あるいはエネルギー蓄積デバイスに蓄積される前に、エネルギー安定化ユニットにおいて蓄積し安定化しておくこともできる。
【０１３８】
さらに、無線エネルギーをまず所定のエネルギー率で伝送し、次に、エネルギー安定化ユニットにおける総エネルギー蓄積量を検出することによって求めることのできるエネルギー・バランスに基づいて伝送することができる。あるいは、エネルギー安定化ユニットにおける現在のエネルギー蓄積量の変化を検出することによって求めることができる。他の代替実施形態では、エネルギー安定化ユニットにおける現在のエネルギー蓄積量の変化の方向および率を検出することによってエネルギー・バランスを求めることができる。
【０１３９】
無線エネルギーの伝送は、内部エネルギー受信器におけるエネルギー受容率がエネルギー消費量および／または蓄積率に対応するように制御することができる。その場合、無線エネルギーの伝送は、所定の総エネルギー量が消費されたときにオフにすることができる。
【０１４０】
内部エネルギー受信器によって受け取られたエネルギーは、まずエネルギー安定化ユニットにおいて蓄積し安定化して、次に、所定の総エネルギー量が消費されるまで医療デバイスによって消費または蓄積することができる。その場合、エネルギー安定化ユニットにおける検出された総エネルギー蓄積量に基づいてエネルギー・バランスを求めることができる。あるいは、エネルギー安定化ユニットにおける現在のエネルギー蓄積量の変化を検出することによってエネルギー・バランスを求めることができる。他の代替実施形態では、エネルギー安定化ユニットにおける現在のエネルギー蓄積量の変化の方向および率を検出することによってエネルギー・バランスを求めることができる。
【０１４１】
図１に関連して述べたように、適切なセンサを使用して、医療デバイスを適切に動作させるのに必要なエネルギーの必要量を何らかの点で反映する、医療デバイスのある特性の測定および／または患者の現在の状態の検出を行うことができる。したがって、医療デバイスの電気的パラメータおよび／または物理的パラメータならびに／あるいは患者の物理的パラメータを求めることができ、次に、パラメータに基づいて求められる伝送率でエネルギーを伝送することができる。さらに、総エネルギー伝送量が前記パラメータに基づく量になるように無線エネルギーの伝送を制御することもできる。
【０１４２】
内部エネルギー受信器によって受け取られたエネルギーを、まずエネルギー安定化ユニットにおいて蓄積し安定化して、次に、所定の総エネルギー量が消費されるまで消費することができる。さらに、内部エネルギー受信器におけるエネルギー受容率が所定のエネルギー消費率に対応するように無線エネルギーの伝送を制御することができる。
【０１４３】
さらに、医療デバイスの電気的パラメータおよび／または物理的パラメータならびに／あるいは患者の物理的パラメータを求め、パラメータに基づいて総エネルギー伝送量を求めることができる。その場合、内部エネルギー受信器によって受け取られたエネルギーを、まずエネルギー安定化ユニットにおいて蓄積し安定化して、次に、所定の総エネルギー量が消費されるまで消費することができる。
【０１４４】
エネルギーは、所定の蓄積率に従ってエネルギー蓄積デバイスに蓄積される。次に、所定の総エネルギー量が蓄積されたときに無線エネルギーの伝送をオフにすることができる。さらに、内部エネルギー受信器におけるエネルギー受容率が所定の蓄積率に対応するように無線エネルギーの伝送を制御することができる。
【０１４５】
医療デバイスのエネルギー蓄積デバイスは、第１の蓄積デバイスと第２の蓄積デバイスとを備えてよく、その場合、内部エネルギー受信器によって受け取られたエネルギーは、まず第１の蓄積デバイスに蓄積され、次に、第１の蓄積デバイスから後段の第２の蓄積デバイスに供給される。
【０１４６】
エネルギー蓄積デバイス内の第１および第２の蓄積デバイスを使用すると、エネルギー・バランスをそれぞれの異なる方法で求めることができる。第１に、第１の蓄積デバイスにおける現在のエネルギー蓄積量を検出することによってエネルギー・バランスを求めることができ、次に、第２の蓄積デバイスにおける蓄積率が内部エネルギー受信器におけるエネルギー受容率に対応するように無線エネルギーの伝送を制御することができる。第２に、第１の蓄積デバイスにおける検出された総エネルギー蓄積量に基づいてエネルギー・バランスを求めることができる。第３に、第１の蓄積デバイスにおける現在のエネルギー蓄積量の変化を検出することによってエネルギー・バランスを求めることができる。第４に、第１の蓄積デバイスにおける現在のエネルギー蓄積量の変化の方向および率を検出することによってエネルギー・バランスを求めることができる。
【０１４７】
安定化されたエネルギーはまず、第２の蓄積デバイスで測定された電圧が所定の最大電圧に達するまで、定電流回路によって維持されている一定の電流によって第１の蓄積デバイスから第２の蓄積デバイスに供給し、その後、定電圧回路によって維持されている一定の電圧によって第１の蓄積デバイスから第２の蓄積デバイスに供給することができる。その場合、所定の最低エネルギー伝送率に達したときに無線エネルギーの伝送をオフにすることができる。
【０１４８】
エネルギーの伝送はさらに、内部エネルギー受信器によるエネルギー受コンデンサが第２の蓄積デバイスにおけるエネルギー蓄積量に対応するように制御することができる。その場合、内部エネルギー受信器におけるエネルギー受容率が第２の蓄積デバイスにおけるエネルギー蓄積率に対応するように、エネルギーの伝送を制御することができる。内部エネルギー受信器における総エネルギー受容量が第２の蓄積デバイスにおける総エネルギー蓄積量に対応するように、エネルギーの伝送を制御することもできる。
【０１４９】
所定の総エネルギー量が蓄積されたときに無線エネルギーの伝送がオフにされる場合、医療デバイスの電気的パラメータおよび／または物理的パラメータならびに／あるいは患者の物理的パラメータを第１のエネルギー蓄積手順の間に求めることができ、その後のエネルギー蓄積手順の間に、パラメータに基づいて所定の総エネルギー量を蓄積することができる。
【０１５０】
医療デバイスの電気的パラメータおよび／または物理的パラメータならびに／あるいは患者の物理的パラメータを求めると、パラメータに基づいて求められた蓄積率でエネルギー蓄積デバイスにエネルギーを蓄積することができる。その場合、パラメータに基づいて求められる総エネルギー量をエネルギー蓄積デバイスに蓄積することができる。次に、総エネルギー量が蓄積されたときに無線エネルギーの伝送を自動的にオフにすることができる。内部エネルギー受信器におけるエネルギー受容率が蓄積率に対応するように無線エネルギーの伝送を制御することもできる。
【０１５１】
医療デバイスの電気的パラメータおよび／または物理的パラメータならびに／あるいは患者の物理的パラメータを求めると、パラメータに基づいて求められた総エネルギー量をエネルギー蓄積デバイスに蓄積することができる。その場合、パラメータに基づいて求められる総エネルギー量をエネルギー蓄積デバイスに蓄積することができる。次に、内部エネルギー受信器における総エネルギー受容量が総エネルギー蓄積量に対応するように無線エネルギーの伝送を制御することができる。さらに、総エネルギー量が蓄積されたときに無線エネルギーの伝送を自動的にオフにすることができる。
【０１５２】
医療デバイスに使用されるエネルギーの一部が消費され、一部が蓄積されるとき、所定のエネルギー消費率および所定のエネルギー蓄積率に基づいて無線エネルギーの伝送を制御することができる。その場合、消費され蓄積される所定の総エネルギー量が受け取られたときにエネルギーの伝送をオフにすることができる。消費され蓄積される所定の総エネルギー量が受け取られたときにエネルギーの伝送をオフにすることもできる。
【０１５３】
医療デバイスの電気的パラメータおよび／または物理的パラメータならびに／あるいは患者の物理的パラメータを求めると、前記パラメータに基づいて求められる単位時間当たり伝送率に従ってエネルギーを伝送して、消費し蓄積することができる。総エネルギー伝送量をパラメータに基づいて求めることもできる。
【０１５４】
医療デバイスの電気的パラメータおよび／または物理的パラメータならびに／あるいは患者の物理的パラメータを求めると、前記パラメータに基づいて求められた供給率でエネルギーをエネルギー蓄積デバイスから医療デバイスに供給して消費することができる。その場合、エネルギー蓄積デバイスから医療デバイスに供給されて消費される総エネルギー量を前記パラメータに基づく量にすることができる。
【０１５５】
医療デバイスの電気的パラメータおよび／または物理的パラメータならびに／あるいは患者の物理的パラメータを求めると、総エネルギー量をエネルギー蓄積デバイスから医療デバイスに供給して消費することができ、その場合、総エネルギー供給量はパラメータに基づいて求められる。
【０１５６】
内部エネルギー受信器によって受け取られたエネルギーをエネルギー安定化ユニットにおいて蓄積し安定化すると、エネルギー蓄積デバイスにおける蓄積率が内部エネルギー受信器におけるエネルギー受容率に対応するように、エネルギー安定化ユニットにおける蓄積率に基づいてエネルギー・バランスを求めることができる。
【０１５７】
内部エネルギー受信器によって受け取られた総エネルギー量と総エネルギー消費量および／または総エネルギー蓄積量との差が検出され、検出された差がエネルギー・バランスに関する測定された少なくとも１つの電気的パラメータの経時的な積分に関する差であるときに、エネルギー・バランスに関する監視された電圧および／または電流について積分を求めることができる。
【０１５８】
エネルギー消費量および／またはエネルギー蓄積量に関する測定された電気的パラメータの経時的な導関数を求めると、エネルギー・バランスに関する監視された電圧および／または電流について導関数を求めることができる。
【０１５９】
エネルギー蓄積デバイス内の第１および第２の蓄積デバイスを使用する際、第２の蓄積デバイスはエネルギーを直接または間接的に医療デバイスに供給することができ、その場合、差の変化は、第１の蓄積ユニットに蓄積されたエネルギー量の変化に対応する。この場合、第１の蓄積デバイスにおけるエネルギー蓄積率の経時的な変化を検出することによって、変化に対応するエネルギー・バランスを求めることができる。エネルギー蓄積量を示す測定された電気的パラメータの導関数を経時的に求めることによってエネルギー蓄積量の変化を求めることもでき、この導関数はエネルギー蓄積量の変化に対応する。電気的パラメータの変化率を検出することもでき、導関数が変化率に関係付けられる。電気的パラメータは、エネルギー・バランスに関する測定された電圧および／または電流であってよい。
【０１６０】
第１の蓄積デバイスは、コンデンサおよび半導体の少なくとも一方を含んでよく、第２の蓄積デバイスは、再充電可能な電池、アキュムレータ、およびコンデンサの少なくとも１つを含む。
【０１６１】
上述のように、無線エネルギーは、外部エネルギー源内の一次コイルから内部エネルギー受信器内の二次コイルに誘導的に伝送することができる。しかし、無線エネルギーを非誘導的に伝送することもできる。たとえば、無線エネルギーを音声または圧力の変化、無線、あるいは光によって伝送することができる。無線エネルギーをパルスまたは波で伝送し、かつ／あるいは電界によって伝送することもできる。
【０１６２】
無線エネルギーが外部エネルギー源から内部エネルギー受信器にパルスで伝送されるとき、パルスの幅を調整することによって無線エネルギーの伝送を制御することができる。
【０１６３】
内部エネルギー受信器による総エネルギー受容量と総エネルギー消費量との差を直接または間接的に経時的に測定すると、差の変化を検出することによってエネルギー・バランスを求めることができる。その場合、エネルギー消費量に関する測定された電気パラメータの導関数を経時的に求めることによって、エネルギー消費量の変化を検出することができ、この導関数はエネルギー消費量の変化率に対応し、変化率は変化の方向および速度を含む。この場合、電気パラメータの変化率を検出することができ、導関数が検出された変化率に関係付けられる。
【０１６４】
エネルギー蓄積デバイス内の第１および第２の蓄積デバイスを使用するとき、第２の蓄積デバイスと比べて比較的高いエネルギー充填率で充填され、それによって比較的高速の充填が可能になるように第１の蓄積デバイスを構成することができる。第１の蓄積デバイスは、第２の蓄積デバイスと比べてより頻繁に複数の個々の充填機会に充填され、それによって充填機会に関して比較的長い寿命が得られるように構成することもできる。第１の蓄積デバイスは少なくとも１つのコンデンサを備えてよい。通常、第１の蓄積デバイスのみを第２の蓄積デバイスに必要なよりも頻繁に充填することができる。
【０１６５】
第２の蓄積デバイスを充填する必要があるときは、充填に必要な時間を短縮するために、第１の蓄積デバイスが複数の個々の充填機会に充填され、それによって、第１の蓄積デバイス用の充填機会同士の間に、比較的低いエネルギー充填率で第２の蓄積デバイスを充填する時間が残る。医療デバイスの電気的パラメータを求めると、パラメータに基づいて第２の蓄積デバイスの充填を制御することができる。定電流回路または安定化電圧回路を使用して第２の蓄積デバイスにエネルギーを蓄積することができる。
【０１６６】
外部エネルギー源からの無線エネルギーの伝送は、立ち上がりおよび立下りを有する第１の電気回路からの電気パルスを外部エネルギー源に印加して無線エネルギーを伝送し、電気パルスの連続する立ち上がりと立下りとの間の第１の時間間隔の長さおよび／または電気パルスの連続する立下りと立ち上がりとの間の第２の時間間隔の長さを変化させ、第１および／または第２の時間間隔の長さに応じて変化する電力を有する電気パルスから生成された無線エネルギーを伝送することによって制御することができる。
【０１６７】
その場合、電気パルスの周波数は、第１および／または第２の時間間隔を変化させる際にほぼ一定であってよい。電気パルスを印加する際、電気パルスは、第１および／または第２の時間間隔が変化することを除いて変化しなくてよい。第１および／または第２の時間間隔を変化させる際、電気パルスの振幅はほぼ一定であってよい。さらに、電気パルスは、電気パルスの連続する立ち上がりと立下りとの間の第１の時間間隔の長さを変化させることによってのみ変化させることができる。
【０１６８】
２つ以上の電気パルスの列を一列として供給することができ、その場合、パルス列を印加する際、パルス列は、パルス列の開始位置に第１の電気パルスを有し、かつパルス列の終了位置に第２の電気パルスを有し、２つ以上のパルス列を一列として供給することができ、第１のパルス列内の第２の電気パルスの立下りとそれに続く、第２のパルス列の第１の電気パルスの立ち上がりとの間の第２の時間間隔の長さが変化する。
【０１６９】
電気パルスを印加する際、電気パルスは、ほぼ一定の電流とほぼ一定の電圧とを有してよい。電気パルスは、ほぼ一定の電流とほぼ一定の電圧とを有してもよい。さらに、電気パルスは、ほぼ一定の周波数を有してもよい。同様に、パルス列内の電気パルスは、ほぼ一定の周波数を有してよい。
【０１７０】
外部エネルギー源に電気パルスを印加すると、電気パルスは、第１および第２の時間間隔を変化させることによって変化する電磁界を外部エネルギー源上で生成することができ、電磁界は、内部エネルギー受信器に伝送されるエネルギーを保持する電気パルスを内部エネルギー受信器内に誘導することができる。その場合、無線エネルギーは、外部エネルギー源から内部エネルギー受信器にほぼ純粋に誘導的に伝送される。
【０１７１】
電気パルスは、第１および／または第２の時間間隔の長さを変化させると、結果的に伝送されるエネルギーが変化するような、連続するパルスの立ち上がり同士の間の周波数および／または時間周期で第１の電気回路から放出することができる。電気パルスを印加する際、電気パルスはほぼ一定の周波数を有してよい。
【０１７２】
第１の電気回路および外部エネルギー源によって形成される回路は、第１の固有時間周期または第１の時定数を有してよく、伝送されるエネルギーを効果的に変化させる際、そのような周波周期は、第１の固有時間周期または時定数の範囲以下であってよい。
【０１７３】
本発明について特定の例示的な実施形態を参照して説明したが、この説明は概して、本発明の概念を例示するものに過ぎず、本発明の範囲を限定するものとみなすべきではない。特に、当業者には、上述の実施形態および例を方法と装置の両方として実施できることが容易に理解されよう。本発明および様々な考えられる実施形態は一般に、以下の特許請求の範囲によって定義される。
【０１７４】
実施例の説明  概略的な図３は、無線エネルギーの伝送を制御する本発明の装置、すなわちエネルギー・バランス制御システムについての提案された構成のうちの１つの回路図を示している。
この概略図は、２．５Ｖを中心とし、エネルギーの不均衡に比例する出力信号を有するエネルギー・バランス測定回路を示している。２．５Ｖの信号レベルは、エネルギー・バランスが存在することを意味し、レベルが２．５Ｖより低くなった場合、インプラント内の電源からエネルギーが取り出され、レベルが２．５Ｖより高くなった場合には、エネルギーが電源に充填される。回路からの出力信号は通常、Ａ／Ｄ変換器に送られ、デジタル・フォーマットに変換される。次に、このデジタル情報を外部送信器に送信し、外部送信器が伝送される電力のレベルを調整するのを可能にする。他の可能性として、エネルギー・バランス・レベルをある最大しきい値および最小しきい値と比較し、バランスが最大／最小窓からずれている場合には外部送信器に情報を送信する比較器を使用する完全にアナログなシステムを有することができる。
【０１７５】
概略的な図３は、誘導的なエネルギー伝送を使用して体外からインプラントに電力を伝送するシステムの回路実施例を示している。誘導エネルギー伝送システムは通常、外部伝送コイルおよび内部受容コイルを使用する。受容コイルＬ１は、概略的な図３に含まれており、図３では、システムの伝送部が除外されている。
【０１７６】
エネルギー・バランスの一般的な概念および情報を外部エネルギー送信器に送信する方法はもちろん、多数の異なる方法で実施することができる。概略的な図３および情報を評価し送信する上述の方法は、制御システムをどのように実施すべきかについての例に過ぎないものとみなすべきである。
【０１７７】
回路の詳細  概略的な図３において、符号Ｙ１、Ｙ２、Ｙ３などは、回路内のテスト・ポイントを示している。テスト・ポイントは、以下の本文で説明する図中のグラフで参照されている。
図中の構成部材およびそのそれぞれの値は、考えられる無限数の構成解決手段のうちの１つに過ぎないこの特定の実施例で作用する値である。
【０１７８】
回路を駆動するエネルギーは、エネルギー受容コイルＬ１によって受け取られる。インプラントへのエネルギーは、この特定の場合には２５ｋＨｚの周波数で伝送される。エネルギー・バランス出力信号はテスト・ポイントＹ１に存在する。
【０１７９】
図４は、受容コイルＬ１上の電圧Ｙ７ｘと、外部送信器からこのコイルによって受け取られた入力電力Ｙ９とを示している。電力のグラフＹ９は、正規化されており、０から１の間で変化し、この場合、１が最大電力を、０が零電力を示し、したがって、Ｙ９は、受け取られた電力レベルの絶対値を示すものではない。電力テスト・ポイントＹ９は概略図には存在しないが、送信器信号電力上の振幅変調信号である。図において、外部送信器からの電力が増大するにつれて受容コイルＬ１上のＹ７ｘ電圧が上昇することが分かる。Ｙ７ｘ電圧が、インプラント内の電源Ｃ１の実際の充電が開始されるレベルに達すると、電源が受容コイルに加える負荷のために、Ｙ７ｘレベルは、入力電力が増大するにつれてずっと遅い速度で上昇する。
【０１８０】
受容コイルＬ１は、ショットキー・ダイオードＤ１ｘ〜Ｄ４ｘを含む整流ブリッジに接続されている。ブリッジからの出力電圧Ｙ７は、図５に示されている。コンデンサＣ６は、ブリッジから高周波数充電電流を吸収し、ショットキー・ダイオードＤ３と一緒に、２５ｋＨｚエネルギー伝送周波数が回路の残りの部分に進入するのを防止する。このことは、システムのエネルギー・バランスが、Ｃ６−Ｄ３の組合せ無しで、ハイ・レベルの２５ｋＨｚ交流充電電流を含むＲ１の両端間の電圧として測定されるため有利である。インプラント内の電源はコンデンサＣ１である。コンデンサＣ３は、高周波数減結合コンデンサである。ＬＯＡＤという名前の抵抗器は、インプラント内の電源の仮想負荷である。電源上の電圧Ｙ５も、電力グラフＹ９と一緒に図５に示されている。
【０１８１】
図６における電圧Ｙ３は、演算増幅器Ｘ１を駆動するのに使用される、安定化された約４．８Ｖの電圧である。Ｙ３電圧は、ＭｏｓＦｅｔ  Ｘ２、ツェナー・ダイオードＤ１、コンデンサＣ４、および抵抗器Ｒ３から成るかなり標準的な線形電圧調整器によって安定化される。図６では、調整器への入力電圧はＹ５として示されており、出力電圧はＹ３である。
【０１８２】
Ｘ１演算増幅器は、増幅器回路の利得を１０倍に設定するＲ６およびＲ７と一緒にエネルギー・バランス信号を増幅するのに使用される。回路への入力信号は、図７に示されている。Ｙ４は、ツェナー・ダイオードＤ１によって約２．７４Ｖのほぼ一定のレベルに固定される。電圧Ｙ４は分流され、コンデンサＣ５によって高周波数が除外される。Ｙ４のＤＣ電圧の一部は、エネルギーのバランスをとるときにＹ１出力電圧を２．５Ｖに集中するために抵抗器Ｒ８によってＹ２電圧に結合される。電圧Ｙ２は、基本的にＲ１上の電圧Ｙ６と同じ電圧であり、わずかに高い周波数がＲ９およびＣ７によって除外され、Ｒ８を流れる電流によってＤＣレベルが変化させられる。Ｙ６とＹ２を比較する場合は、図７を参照されたい。
【０１８３】
図８の回路のエネルギー・バランス出力信号Ｙ１はまた、Ｙ６電圧に厳密に対応する。
Ｙ１電圧は１０倍に増幅され、ＤＣは、Ｙ６電圧の０Ｖではなく約２．５Ｖに集中するように変化する。エネルギー・バランス出力信号に接続された回路において、Ｙ１におけるより高い信号レベルおよび約２．５ＶのＤＣ中心点を実現するのは非常に容易である。
【０１８４】
図９は、エネルギー・バランス信号Ｙ１とインプラントの電源上の実際の電圧との関係を示している。エネルギー・バランス信号は、電源上の電圧レベルＹ５の導関数である。
エネルギー・バランス信号Ｙ１が２．５Ｖに対して負であるとき、電圧レベルＹ５は低下し、エネルギー・バランス信号が２．５Ｖに対して正であるとき、電圧レベルＹ５は上昇する。エネルギー・バランス信号Ｙ１が２．５Ｖに対してより負また正になればなるほど、より高速に電源上のＹ５電圧は上昇または降下する。
【０１８５】
他の回路状態の図１０はおそらく、エネルギー・バランス信号が電源上のＹ５電圧にどのように対応するかをずっと明確に示している。各トレースは、電源に投入されるエネルギーが一定のレベルに保持され、負荷が離散した４つのステップにおいて５ｍＡから３０ｍＡの間で変化する状況を示している。負荷は、最初の２５ｍｓの間は３０ｍＡで、それに続く２５ｍｓの間は５ｍＡであり、その後同様に順次３０ｍＡおよび５ｍＡになる。電源上のＹ５電圧が３０ｍＡの負荷のために一定のレベルで降下すると、導関数レベルは２．５Ｖよりも低い一定のレベルになり、Ｙ５電圧が上昇すると、導関数電圧は一定のレベルで正になる。
【０１８６】
図１１の２つの図は、エネルギー・バランス信号Ｙ１と、負荷が変化すると共にインプラントに投入される電力も変化する複合状況の回路内のエネルギーの不均衡との関係を示している。図１１の第１の図中の２つのトレースは、電源への充電電流および負荷電流を示している。充電電流はＩＹ１２トレースで表されており、負荷電流はＩＹ１０トレースである。図１１の第２の図は、第１の図に示されている交流電流によって生成されるＹ１電圧を示している。図示のように、エネルギーの不均衡のために電源におけるエネルギー蓄積量が変化すると、導関数信号Ｙ１が不均衡に高速に応答する。
【０１８７】
外部電力送信器が伝送された電力をエネルギーの不均衡に従って調整するのを可能にする外部電力送信器へのフィードバック信号としてエネルギー・バランス信号が使用されるシステムでは、最適なエネルギー・バランスを維持し、かつ効率を最大に維持することが可能である。図１２は、電源への充電電流および負荷電流を示しており、充電電流はＩＹ１２トレースで表されており、負荷電流はＩＹ１０トレースであり、図１２は、このようなシステムにおける電源上の電圧レベルＹ５およびエネルギー・バランス信号Ｙ１も示している。このシステムが、充電電流を増大させることによって負荷電流の変化に対して高速に応答することがはっきりと分かる。エネルギー・バランス信号の小さなスパイクは、フィードバック・ループの有限帯域幅のために負荷が高速に変化する縁部の所にのみ存在している。このような小さなスパイクを除いてエネルギーは完全に均衡している。
【０１８８】
図１３ａ〜図１３ｃは、装置がＢＯで示されている体器官の壁部に取り付けられたときの、本発明による一般的に構成された装置のそれぞれの異なる動作状態を概略的に示している。装置は、ＣＳＤで示されている狭さくデバイスおよび刺激デバイスと、ＣＤで示され、狭さくデバイスおよび刺激デバイスＣＳＤを制御する制御デバイスとを含んでいる。
図９ａは、狭さくデバイスが器官ＢＯを狭さくさせておらず、刺激デバイスが器官ＢＯを刺激していない非作動状態の装置を示している。図１３ｂは、狭さくデバイスが、器官ＢＯの壁部を軽く狭さくさせて、狭さくした壁部内の血液循環がほとんど制限されず、かつ壁部の内腔内の流れが制限される狭さく状態にするように、制御デバイスＣＤが制御する非狭さく状態の装置を示している。図１３ｃは、刺激デバイスが、狭さくした壁部のそれぞれの異なる領域を刺激し、したがって、器官ＢＯの壁部のほぼ全体が狭さくして（厚くなり）内腔を閉鎖するように、制御デバイスＣＤが制御する刺激状態の装置を示している。
【０１８９】
図１３ｄおよび図１３ｅは、壁部の左側の領域（図１３ｄ参照）が刺激され、一方、壁部の右側の領域が刺激されない第１の刺激モードと、壁部の右側の領域（図１３ｅ参照）が刺激され、一方、壁部の左側の領域が刺激されない第２の刺激モードとの間を、狭さくした壁部の刺激が循環的に変化し、狭さくした壁部において長時間にわたって十分な血液循環が維持される状態を示している。
【０１９０】
図１３ｄおよび図１３ｅに示されている刺激モードが、器官ＢＯの狭さくした壁部がどのように刺激されるかについての原理的な例を構成するものに過ぎないことに留意されたい。したがって、狭さくした壁部の２つよりも多くの異なる領域を同時に、循環的にあるいは連続的に刺激することができる。さらに、狭さくした壁部のそれぞれの異なる領域の群を連続的に刺激することができる。
【０１９１】
図１３ｆ〜図１３ｈは、図１３ａ〜図１３ｅに示されている一般的な実施形態の変形例のそれぞれの異なる動作状態を示しており、この場合、狭さくデバイスおよび刺激デバイスＣＳＤは、いくつかの別個の狭さく／刺激部材、ここでは３つの部材ＣＳＤＥ１、ＣＳＤＥ２、およびＣＳＤＥ３を含んでいる。図１３ｆは、第１の動作状態の部材ＳＡＤＥ１が作動して、器官ＢＯを狭さくさせると共に刺激し、したがって、器官ＢＯの内腔を閉鎖し、一方、他の２つの部材ＣＳＤＥ２およびＣＳＤＥ３が作動しない状態を示している。
図１３ｇは、次の第２の動作状態の部材ＣＳＤＥ２が作動し、したがって器官ＢＯの内腔が閉鎖され、一方、他の２つの部材ＣＳＤＥ１およびＣＳＤＥ３が作動しない状態を示している。図１３ｈは、次の第３の動作状態の部材ＣＳＤＥ３が作動し、したがって器官ＢＯの内腔が閉鎖され、一方、他の２つの部材ＣＳＤＥ１およびＣＳＤＥ２が作動しない状態を示している。第１の状態と第２の動作状態と第３の動作状態を無作為にあるいは所定の順序に従って切り替えることによって、器官のそれぞれの異なる部分を一時的に狭さくさせ刺激し、一方、器官の内腔を閉鎖したままにしておくことができ、それによって、器官を損傷する危険性が最低限に抑えられる。各部材ＣＳＤＥ１〜ＣＳＤＥ３を器官の内腔に沿って連続的に作動させて内腔内の流体および／または他の体物質を移動させることも可能である。
【０１９２】
図１３ｉ〜図１３ｋは、一般的な実施形態の変形例の、他の動作モードを示している。
したがって、図１３ｉは、第１の動作状態の部材ＣＳＤＥ１が作動して器官ＢＯを狭さくさせると共に刺激し、したがって、器官ＢＯの内腔を閉鎖し、一方、他の２つの部材ＣＳＤＥ２およびＣＳＤＥ３が作動して器官ＢＯを狭さくさせるが刺激はせず、したがって、器官ＢＯの内腔は完全には閉鎖されず、部材ＣＳＤＥ２およびＣＳＤＥ３が器官ＢＯに係合する状態を示している。図１３ｊは、次の第２の動作状態の部材ＣＳＤＥ２が作動して器官ＢＯを狭さくさせると共に刺激し、したがって、器官ＢＯの内腔を閉鎖し、一方、他の２つの部材ＣＳＤＥ１およびＣＳＤＥ３が作動して器官ＢＯを狭さくさせるが刺激はせず、したがって、器官ＢＯの内腔は完全には閉鎖されず、部材ＣＳＤＥ１およびＣＳＤＥ３が器官ＢＯに係合する状態を示している。図１３ｋは、次の第３の動作状態の部材ＣＳＤＥ３が作動して器官ＢＯを狭さくさせると共に刺激し、したがって、器官ＢＯの内腔を閉鎖し、一方、他の２つの部材ＣＳＤＥ１およびＣＳＤＥ２が作動して器官ＢＯを狭さくさせるが刺激はせず、したがって、器官ＢＯの内腔は完全には閉鎖されず、部材ＣＳＤＥ１およびＣＳＤＥ２が器官ＢＯに係合する状態を示している。第１の動作状態と第２の動作状態と第３の動作状態とを無作為にあるいは所定の順序に従って切り替えることによって、器官のそれぞれの異なる部分を一時的に刺激し、一方、器官の内腔を閉鎖されたままにしておくことができ、それによって、器官が損傷する危険性が低減する。部材ＣＳＤＥ１〜ＣＳＤＥ３の刺激を器官ＢＯの内腔に沿って連続的に作動させて内腔内の流体および／または他の体物質を移動させることも可能である。
【０１９３】
図１４〜図１６は、患者の器官の組織壁によって形成された内腔内の流体および／または他の体物質の流れを制御する、本発明による装置の実施形態の基本的な構成部材を示している。この装置は、開放端部を有する管状ハウジング１と、ハウジング１内に配置された狭さくデバイス２と、狭さくデバイス２と一体化された刺激デバイス３と、狭さくデバイス２および刺激デバイス３を制御する制御デバイス４（図１６に示されている）とを備えている。狭さくデバイス２は、管状ハウジング１内で、図１５に示されている引き込み位置と図１６に示されているクランプ位置との間を互いに接近したり離れたりするように半径方向に移動可能である細長い２つのクランプ部材５、６を有している。刺激デバイス３は、クランプ部材５、６の一方の電気部材７が他方のクランプ部材の電気部材７に面するようにクランプ部材５、６上に位置する多数の電気部材７を含んでいる。したがって、この実施形態では、狭さくデバイスと刺激デバイスは、狭さくデバイスと刺激デバイスが単一の部材として一体化された狭さく／刺激ユニットを形成している。
【０１９４】
狭さくデバイスと刺激デバイスを互いに分離してもよい。この場合、電気部材７同士を互いに対して一定の向きに保持する構造を設けることができる。あるいは、電気部材７は、患者の器官の壁部に別個に取り付けられた電極を含んでよい。
【０１９５】
図１７ａは、本発明の実施形態による、送られるパルスの一例を示している。パルスは、一定の周波数および振幅を有している。しかし、時間ｔ１と時間ｔ２の関係は変動している。
【０１９６】
図１７ｂは、本発明の第２の実施形態による、送られるパルスの他の例を示している。
時間ｔ１の間にパルス列が送られ、時間ｔ２の間はパルスは送られない。パルスは、一定の周波数および振幅を有している。しかし、時間ｔ１と時間ｔ２の関係は変動している。
【符号の説明】
【０１９７】
１００、２００  医療デバイス；  １０２、２０２  内部エネルギー受信器；  １０４、２０４  外部エネルギー源；  １０６、２０６  外部制御ユニット；  １０８、２０８  内部制御ユニット；  １１０  内部信号送信器；  １１２  外部信号受信器。
【図１】
2018111026.tif 000003
【図２】
2018111026.tif 000004
【図３】
2018111026.tif 000005
【図４】
2018111026.tif 000006
【図５】
2018111026.tif 000007
【図６】
2018111026.tif 000008
【図７】
2018111026.tif 000009
【図８】
2018111026.tif 000010
【図９】
2018111026.tif 000011
【図１０】
2018111026.tif 000012
【図１１】
2018111026.tif 000013
【図１２】
2018111026.tif 000014
【図１３ａ】
2018111026.tif 000015
【図１３ｂ】
2018111026.tif 000016
【図１３ｃ】
2018111026.tif 000017
【図１３ｄ】
2018111026.tif 000018
【図１３ｅ】
2018111026.tif 000019
【図１３ｆ】
2018111026.tif 000020
【図１３ｇ】
2018111026.tif 000021
【図１３ｈ】
2018111026.tif 000022
【図１３ｉ】
2018111026.tif 000023
【図１３ｊ】
2018111026.tif 000024
【図１３ｋ】
2018111026.tif 000025
【図１４】
2018111026.tif 000026
【図１５】
2018111026.tif 000027
【図１６】
2018111026.tif 000028
【図１７ａ】
2018111026.tif 000029
【図１７ｂ】
2018111026.tif 000030
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
患者の体内に移植された電気的に動作可能な医療デバイスに供給される無線エネルギーの伝送を制御する装置であって、
前記無線エネルギーを伝送する、前記患者の体外に配置された外部エネルギー源と、
前記無線エネルギーを受信し、受信したエネルギーを直接的または間接的に前記医療デバイスに供給するために前記医療デバイスに接続された内部エネルギー受信器と、を備え、
−  前記内部エネルギー受信器によって受け取られた前記エネルギーと前記医療デバイスに使用される前記エネルギーとのエネルギー・バランスを決定し、
−  前記無線エネルギーの伝送中に前記エネルギー・バランスを決定し、
−  前記外部エネルギー源によって送られる無線エネルギーの供給を制御できるように患者の体内から情報をフィードバックし、
−  前記内部エネルギー受信器におけるエネルギー受信率と、エネルギー消費率若しくはエネルギー蓄積率、または前記エネルギー消費率と前記エネルギー蓄積率の合計との差に基づいて決定された前記エネルギー・バランスに基づいて、前記外部エネルギー源からの無線エネルギーの伝送を制御するように、構成される制御ユニットを備え、
前記エネルギー受信率、前記エネルギー消費率及び前記エネルギー蓄積率における、第１の所与の瞬間における導関数は、前記第１の所与の瞬間の変化率に対応し、前記変化率は前記変化の方向および速度を含むこと
を特徴とする装置。
【請求項２】
前記無線エネルギーを前記外部エネルギー源内の一次コイルから前記内部エネルギー受信器内の二次コイルに誘導的に伝送するようにさらに構成されることを特徴とする請求項１に記載の装置。
【請求項３】
前記エネルギー・バランスの変化を検出し、前記検出されたエネルギー・バランスの変化に基づいて無線エネルギーの伝送を制御するようにさらに構成され、前記検出されたエネルギー・バランスの変化がエネルギー・バランスが向上していることを示す場合、伝送される無線エネルギーの量を低減させ、前記検出されたエネルギー・バランスの変化がエネルギー・バランスが低下していることを示す場合、伝送される無線エネルギーの量を増大させるようにさらに構成され、前記無線エネルギーの伝送は、前記エネルギー・バランスにおける検出された経時的な変化に基づいて制御されることを特徴とする請求項１または２のいずれかに記載の装置。
【請求項４】
前記内部エネルギー受信器によって受け取られたエネルギーと前記医療デバイスに使用されるエネルギーとの差を検出し、前記検出されたエネルギーの差に基づいて無線エネルギーの伝送を制御するようにさらに構成され、
前記検出されたエネルギーの差が前記受け取られたエネルギーが前記使用されたエネルギーよりも多いことを示す場合、伝送される無線エネルギーの量を低減させ、反対に前記検出されたエネルギーの差が、前記受け取られたエネルギーが前記使用されたエネルギーよりも少ないことを示す場合、伝送される無線エネルギーの量を増大させるようにさらに構成され、
前記無線エネルギーの伝送は、検出されたエネルギーの差の大きさに基づいて制御されることを特徴とする請求項１または２のいずれかに記載の装置。
【請求項５】
前記医療デバイスのために使用される前記エネルギーは、
−前記医療デバイスを動作させるために使用されるエネルギーと、
−少なくとも１つのエネルギー蓄積デバイスに蓄積されるエネルギーであること、を特徴とする請求項３乃至４のいずれかに記載の装置。
【請求項６】
前記医療デバイスの少なくとも１つのエネルギー安定化ユニットで安定化した後で、前記エネルギーを消費または蓄積するようにさらに構成されることを特徴とする請求項５に記載の装置。
【請求項７】
前記内部エネルギー受信器による総エネルギー受信量と総エネルギー消費量および／または総エネルギー蓄積量との差を間接的または直接的に経時的に測定し、前記差の検出された変化に基づいて前記エネルギー・バランスを求めるようにさらに構成されることを特徴とする請求項５に記載の装置。
【請求項８】
前記エネルギー安定化ユニットは、前記受け取られたエネルギーを安定化するように構成されたエネルギー蓄積デバイスを含むことを特徴とする請求項６に記載の装置。
【請求項９】
エネルギー消費量および／またはエネルギー蓄積量の検出された経時的な変化に基づいて前記エネルギー・バランスを求めるようにさらに構成されることを特徴とする請求項５に記載の装置。
【請求項１０】
前記エネルギー消費量および／またはエネルギー蓄積量に関する測定された電気的パラメータの導関数を経時的に求めることによって前記エネルギー消費量および／またはエネルギー蓄積量の前記変化を検出するようにさらに構成されることを特徴とする請求項９に記載の装置。
【請求項１１】
前記電気的パラメータの検出された変化率に基づいて前記導関数を求めるようにさらに構成されることを特徴とする請求項１０に記載の装置。
【請求項１２】
定電圧回路によって生成された少なくとも１つの一定の電圧と、定電流回路によって生成された少なくとも１つの一定の電流のうち少なくとも一方によって、前記内部エネルギー受信器によって受け取られた前記エネルギーを前記医療デバイスに供給するようにさらに構成されることを特徴とする請求項１乃至１１のいずれかに記載の装置。
【請求項１３】
前記少なくとも１つの一定の電圧を含む少なくとも２つの異なる電圧と、前記少なくとも１つの一定の電流を含む少なくとも２つの異なる電流のうち少なくとも一方によって前記エネルギーを供給するようにさらに構成されることを特徴とする請求項１２に記載の装置。
【請求項１４】
前記差は、前記エネルギー・バランスに関する少なくとも１つの測定された電気的パラメータの経時的な積分に関する差であり、前記電気的パラメータの前記積分は、前記内部エネルギー受信器による前記総エネルギー受信量と前記総エネルギー消費量および／または総エネルギー蓄積量との蓄積された差としてのエネルギー・バランスに関する積分であることを特徴とする請求項７に記載の装置。
【請求項１５】
前記電気的パラメータの経時的な積分を決定するようにさらに構成されることを特徴とする請求項１４に記載の装置。
【請求項１６】
再充電可能な電池、およびコンデンサのうち少なくとも１つを備えるエネルギー蓄積デバイスを備えることを特徴とする請求項１乃至１５のいずれかに記載の装置。
【請求項１７】
前記外部エネルギー源に、立ち上がりおよび立ち下がりを有する電気パルスを供給する第１の電気回路をさらに備え、
前記電気回路は、前記電気パルスの連続的な立ち上がりと立ち下がりとの間の第１の時間間隔の長さ、および／または前記電気パルスの連続的な立ち下がりと立ち上がりとの間の第２の時間間隔の長さを変化させるように構成され、
前記電気パルスから生成された前記伝送される無線エネルギーは、前記第１の時間間隔および／または第２の時間間隔の長さに応じて変化する電力を有する、ことを特徴とする請求項１乃至１６のいずれかに記載の装置。
【請求項１８】
前記電気パルスの周波数は、前記第１の時間間隔と第２の時間間隔が変化するときに一定であり、前記電気パルスの振幅は、電気パルスを印加する際、前記第１の時間間隔と第２の時間間隔が変化するときに一定であることを特徴とする請求項１７に記載の装置。
【請求項１９】
パルス列が印加される際に、前記パルス列の開始位置に第１の電気パルスを有し、前記パルス列の終了位置に第２の電気パルスを有する２つ以上の電気パルスの列を一列として供給し、
第１のパルス列内の前記第２の電気パルスの立ち下がりと、それに連続する、第２のパルス列の前記第１の電気パルスの立ち上がりとの間の前記第２の時間間隔の長さが変化する２つ以上のパルス列を一列として供給するようにさらに構成されることを特徴とする請求項１７に記載の装置。
【請求項２０】
電気パルスを印加する際、前記パルス列内の前記電気パルスと前記パルス列自体のうち少なくとも一方が、ほぼ一定の周波数とほぼ一定の電流と、一定の電圧のうち少なくとも一方を有することを特徴とする請求項１９に記載の装置。
【請求項２１】
無線エネルギーだけを前記外部エネルギー源から前記受信器に誘導的に伝送するようにさらに構成されることを特徴とする請求項１７に記載の装置。
【請求項２２】
前記第１の時間間隔および／または第２の時間間隔の長さを変化させると、結果的に伝送されるエネルギーが変化するような、前記連続したパルスの立ち上がり同士の間の周波数および／または時間周期で、前記電気パルスを前記第１の電気回路から放出するようにさらに構成されることを特徴とする請求項１７に記載の装置。
【請求項２３】
前記第１の電気回路および前記外部エネルギー源で形成された前記回路は、第１の固有時間周期または第１の時定数を有し、前記伝送されるエネルギーを効果的に変化させる際、前記周波数および／または時間周期は前記第１の固有時間周期または時定数の範囲以下であることを特徴とする請求項２２に記載の装置。
【請求項２４】
前記無線エネルギーは予定した率でまず伝送され、次にエネルギー・バランスに基いて伝送されるものであり、上記エネルギー・バランスはエネルギー安定化ユニット内の蓄積したエネルギーの量の変化を検出して決定されることを特徴とする請求項６記載の装置。
【手続補正２】
【補正対象書類名】明細書
【補正対象項目名】００３１
【補正方法】変更
【補正の内容】
【００３１】
無線エネルギーは最初、所定のエネルギー消費率と蓄積率とに従って伝送することができる。その場合、無線エネルギーの伝送は、所定の総エネルギー量が伝送されたときにオフにすることができる。この場合、内部エネルギー受信器によって受け取られたエネルギーは、所定の総エネルギー量が消費されかつ／あるいは蓄積されるまで医療デバイスを動作させるのに消費されかつ／あるいはエネルギー蓄積デバイスに蓄積される前に、エネルギー安定化ユニットにおいて蓄積し安定化しておくこともできる。 
【手続補正３】
【補正対象書類名】明細書
【補正対象項目名】００３３
【補正方法】変更
【補正の内容】
【００３３】
無線エネルギーの伝送は、内部エネルギー受信器におけるエネルギー受信率がエネルギー消費率および／または蓄積率に対応するように制御することができる。その場合、無線エネルギーの伝送は、所定の総エネルギー量が消費されたときにオフにすることができる。
【手続補正４】
【補正対象書類名】明細書
【補正対象項目名】０１３７
【補正方法】変更
【補正の内容】
【０１３７】
無線エネルギーは最初、所定のエネルギー消費率と蓄積率とに従って伝送することができる。その場合、無線エネルギーの伝送は、所定の総エネルギー量が伝送されたときにオフにすることができる。この場合、内部エネルギー受信器によって受け取られたエネルギーは、所定の総エネルギー量が消費されかつ／あるいは蓄積されるまで医療デバイスを動作させるのに消費されかつ／あるいはエネルギー蓄積デバイスに蓄積される前に、エネルギー安定化ユニットにおいて蓄積し安定化しておくこともできる。
【手続補正５】
【補正対象書類名】明細書
【補正対象項目名】０１３９
【補正方法】変更
【補正の内容】
【０１３９】
無線エネルギーの伝送は、内部エネルギー受信器におけるエネルギー受容率がエネルギー消費率および／または蓄積率に対応するように制御することができる。その場合、無線エネルギーの伝送は、所定の総エネルギー量が消費されたときにオフにすることができる。